(57)【要約】  同じシンボル期間中の異なる組の副搬送波上で、基準信号とデータを効率的に多重化するための技術が説明されている。ユーザ機器（ＵＥ）は、データに対する１組の変調シンボル上で離散フーリエ変換を実行して、データシンボルを取得する。ＵＥは、ベースシーケンスのサイクリックシフトに対応する基準信号シーケンスに基づいて発生された基準シンボルも取得する。ＵＥは、基準シンボルを、第１の組の副搬送波にマッピングし、データシンボルを、第２の組の副搬送波にマッピングする。ＵＥは、その後、マッピングされた基準シンボルと、マッピングされたデータシンボルとに基づいて、送信シンボルを発生させる。ＵＥは、（ｉ）スロットまたはサブフレームの複数のシンボル期間中で、ならびに／あるいは、（ｉｉ）周波数分割多重化またはコード分割多重化を使用して、複数のアンテナから、基準信号とデータを送信してもよい。【選択図】    図３
2013509830.tif 000002
【特許請求の範囲】
【請求項１】
ワイヤレス通信のための方法において、
ベースシーケンスのサイクリックシフトに対応する基準信号シーケンスに基づいて発生された基準シンボルを取得することと、
前記基準シンボルを、シンボル期間中の第１の組の副搬送波にマッピングすることと、
データシンボルを、前記シンボル期間中の第２の組の副搬送波にマッピングすることと、
前記マッピングされた基準シンボルと、前記マッピングされたデータシンボルとに基づいて、送信シンボルを発生させることとを含む方法。
【請求項２】
データに対する１組の変調シンボル上で離散フーリエ変換（ＤＦＴ）を実行して、前記第２の組の副搬送波に対する前記データシンボルを取得することをさらに含む請求項１記載の方法。
【請求項３】
Ｍ個の副搬送波の割り当てを受信することをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい請求項１記載の方法。
【請求項４】
前記第２の組の副搬送波は、前記Ｍ個の副搬送波中の少なくとも１個の副搬送波を含み、基準シンボルを送信するのに使用される副搬送波は除外している請求項３記載の方法。
【請求項５】
第２の基準シンボルを、第２のシンボル期間中の第３の組の副搬送波にマッピングすることと、
第２のデータシンボルを、前記第２のシンボル期間中の第４の組の副搬送波にマッピングすることと、
前記マッピングされた第２の基準シンボルと、前記マッピングされた第２のデータシンボルとに基づいて、第２の送信シンボルを発生させることとをさらに含む請求項１記載の方法。
【請求項６】
前記シンボル期間および前記第２のシンボル期間は、スロットの２つのシンボル期間に対応する請求項５記載の方法。
【請求項７】
前記第３の組の副搬送波は、前記第１の組の副搬送波に関してずらされている請求項５記載の方法。
【請求項８】
第２の基準シンボルを、前記シンボル期間中の第３の組の副搬送波にマッピングすることと、
第２のデータシンボルを、前記シンボル期間中の第４の組の副搬送波にマッピングすることと、
前記マッピングされた第２の基準シンボルと、前記マッピングされた第２のデータシンボルとに基づいて、第２の送信シンボルを発生させることと、
第１のアンテナを通して前記送信シンボルを送信することと、
第２のアンテナを通して前記第２の送信シンボルを送信することとをさらに含む請求項１記載の方法。
【請求項９】
前記第１および前記第２のアンテナに対する基準信号は、周波数分割多重化され、前記第３の組の副搬送波は、前記第１の組の副搬送波中に含まれていない副搬送波を含んでいる請求項８記載の方法。
【請求項１０】
前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい請求項８記載の方法。
【請求項１１】
Ｍ個の副搬送波の割り当てを受信することをさらに含み、前記第２の組の副搬送波は、前記第４の組の副搬送波に等しく、前記第２および前記第４の組の副搬送波は、それぞれ、前記Ｍ個の副搬送波中の少なくとも１個の副搬送波を含み、基準シンボルを送信するのに使用される副搬送波は除外している請求項８記載の方法。
【請求項１２】
前記基準シンボルは、前記データシンボルを復調するのに使用される復調基準信号（ＤＭＲＳ）に対するものである請求項１記載の方法。
【請求項１３】
前記基準信号シーケンスは、Ｐの長さを有し、Ｐ個の基準シンボルを含み、ここで、Ｐは、前記第１の組の副搬送波中の副搬送波の数である請求項１記載の方法。
【請求項１４】
前記ベースシーケンスは、Ｚａｄｏｆｆ−Ｃｈｕシーケンスまたはコンピュータ発生されたシーケンスを含む請求項１記載の方法。
【請求項１５】
ワイヤレス通信のための装置において、
ベースシーケンスのサイクリックシフトに対応する基準信号シーケンスに基づいて発生された基準シンボルを取得する手段と、
前記基準シンボルを、シンボル期間中の第１の組の副搬送波にマッピングする手段と、
データシンボルを、前記シンボル期間中の第２の組の副搬送波にマッピングする手段と、
前記マッピングされた基準シンボルと、前記マッピングされたデータシンボルとに基づいて、送信シンボルを発生させる手段とを具備する装置。
【請求項１６】
データに対する１組の変調シンボル上で離散フーリエ変換（ＤＦＴ）を実行して、前記第２の組の副搬送波に対する前記データシンボルを取得する手段をさらに具備する請求項１５記載の装置。
【請求項１７】
第２の基準シンボルを、第２のシンボル期間中の第３の組の副搬送波にマッピングする手段と、
第２のデータシンボルを、前記第２のシンボル期間中の第４の組の副搬送波にマッピングする手段と、
前記マッピングされた第２の基準シンボルと、前記マッピングされた第２のデータシンボルとに基づいて、第２の送信シンボルを発生させる手段とをさらに具備し、
前記シンボル期間および前記第２のシンボル期間は、スロットの２つのシンボル期間に対応している請求項１５記載の装置。
【請求項１８】
第２の基準シンボルを、前記シンボル期間中の第３の組の副搬送波にマッピングする手段と、
第２のデータシンボルを、前記シンボル期間中の第４の組の副搬送波にマッピングする手段と、
前記マッピングされた第２の基準シンボルと、前記マッピングされた第２のデータシンボルとに基づいて、第２の送信シンボルを発生させる手段と、
第１のアンテナを通して前記送信シンボルを送信する手段と、
第２のアンテナを通して前記第２の送信シンボルを送信する手段とをさらに具備する請求項１５記載の装置。
【請求項１９】
前記第１および前記第２のアンテナに対する基準信号は、周波数分割多重化され、前記第３の組の副搬送波は、前記第１の組の副搬送波中に含まれていない副搬送波を含んでいる請求項１８記載の装置。
【請求項２０】
前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい請求項１８記載の装置。
【請求項２１】
ワイヤレス通信のための装置において、
ベースシーケンスのサイクリックシフトに対応する基準信号シーケンスに基づいて発生された基準シンボルを取得するようにと、
前記基準シンボルを、シンボル期間中の第１の組の副搬送波にマッピングするようにと、
データシンボルを、前記シンボル期間中の第２の組の副搬送波にマッピングするようにと、
前記マッピングされた基準シンボルと、前記マッピングされたデータシンボルとに基づいて、送信シンボルを発生させるように構成されている少なくとも１つのプロセッサを具備する装置。
【請求項２２】
一時的なコンピュータ読取可能媒体を具備するコンピュータプログラムプロダクトにおいて、
前記一時的なコンピュータ読取可能媒体は、
少なくとも１つのプロセッサに、ベースシーケンスのサイクリックシフトに対応する基準信号シーケンスに基づいて発生された基準シンボルを取得させるためのコードと、
前記少なくとも１つのプロセッサに、前記基準シンボルを、シンボル期間中の第１の組の副搬送波にマッピングさせるためのコードと、
前記少なくとも１つのプロセッサに、データシンボルを、前記シンボル期間中の第２の組の副搬送波にマッピングさせるためのコードと、
前記少なくとも１つのプロセッサに、前記マッピングされた基準シンボルと、前記マッピングされたデータシンボルとに基づいて、送信シンボルを発生させるためのコードとを含むコンピュータプログラムプロダクト。
【請求項２３】
ワイヤレス通信のための方法において、
第１の組の副搬送波にマッピングされた基準シンボルと、第２の組の副搬送波にマッピングされたデータシンボルとを含む送信シンボルを、シンボル期間中に受信することと、
前記受信された送信シンボルを処理して、前記第１の組の副搬送波からの受信された基準シンボルと、前記第２の組の副搬送波からの受信されたデータシンボルとを取得することと、
前記受信された基準シンボルを処理して、チャネル推定を取得することと、
前記チャネル推定に基づいて、前記受信されたデータシンボルを処理して、復調されたデータシンボルを取得することとを含み、
前記基準シンボルは、ベースシーケンスのサイクリックシフトに対応する基準信号シーケンスに基づいて発生されている方法。
【請求項２４】
前記復調されたデータシンボル上で逆離散フーリエ変換（ＩＤＦＴ）を実行して、受信された変調シンボルを取得することと、
前記受信された変調シンボルを処理して、前記第２の組の副搬送波上で送信されたデータを復元することとをさらに含む請求項２３記載の方法。
【請求項２５】
Ｍ個の副搬送波の割り当てをユーザ機器（ＵＥ）に送ることをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい請求項２３記載の方法。
【請求項２６】
前記第２の組の副搬送波は、前記Ｍ個の副搬送波中の少なくとも１個の副搬送波を含み、基準シンボルを送信するのに使用される副搬送波は除外している請求項２５記載の方法。
【請求項２７】
第３の組の副搬送波にマッピングされた第２の基準シンボルと、第４の組の副搬送波にマッピングされた第２のデータシンボルとを含む第２の送信シンボルを、第２のシンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記第２のチャネル推定に基づいて、前記受信された第２のデータシンボルを処理して、復調された第２のデータシンボルを取得することとをさらに含む請求項２３記載の方法。
【請求項２８】
前記シンボル期間と前記第２のシンボル期間は、スロットの２つのシンボル期間に対応する請求項２７記載の方法。
【請求項２９】
前記第３の組の副搬送波は、前記第１の組の副搬送波に関してずらされている請求項２７記載の方法。
【請求項３０】
第３の組の副搬送波にマッピングされた第２の基準シンボルと、第４の組の副搬送波にマッピングされた第２のデータシンボルとを含む前記第２の送信シンボルを、前記シンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得することとをさらに含み、
ユーザ機器（ＵＥ）において、前記送信シンボルは、第１のアンテナを通して送信され、前記第２の送信シンボルは、第２のアンテナを通して送信される請求項２３記載の方法。
【請求項３１】
前記ＵＥにおける前記第１のおよび前記第２のアンテナに対する基準信号は、周波数分割多重化され、前記第３の組の副搬送波は、前記第１の組の副搬送波中に含まれていない副搬送波を含む請求項３０記載の方法。
【請求項３２】
前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい請求項３０記載の方法。
【請求項３３】
ワイヤレス通信のための装置において、
第１の組の副搬送波にマッピングされた基準シンボルと、第２の組の副搬送波にマッピングされたデータシンボルとを含む送信シンボルを、シンボル期間中に受信する手段と、
前記受信された送信シンボルを処理して、前記第１の組の副搬送波からの受信された基準シンボルと、前記第２の組の副搬送波からの受信されたデータシンボルとを取得する手段と、
前記受信された基準シンボルを処理して、チャネル推定を取得する手段と、
前記チャネル推定に基づいて、前記受信されたデータシンボルを処理して、復調されたデータシンボルを取得する手段とを具備し、
前記基準シンボルは、ベースシーケンスのサイクリックシフトに対応する基準信号シーケンスに基づいて発生されている装置。
【請求項３４】
前記復調されたデータシンボル上で逆離散フーリエ変換（ＩＤＦＴ）を実行して、受信された変調シンボルを取得する手段と、
前記受信された変調シンボルを処理して、前記第２の組の副搬送波上で送信されたデータを復元する手段とをさらに具備する請求項３３記載の装置。
【請求項３５】
第３の組の副搬送波にマッピングされた第２の基準シンボルと、第４の組の副搬送波にマッピングされた第２のデータシンボルとを含む第２の送信シンボルを、第２のシンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記第２のチャネル推定に基づいて、前記受信された第２のデータシンボルを処理して、復調された第２のデータシンボルを取得する手段とをさらに具備する請求項３３記載の装置。
【請求項３６】
第３の組の副搬送波にマッピングされた第２の基準シンボルと、第４の組の副搬送波にマッピングされた第２のデータシンボルとを含む第２の送信シンボルを、前記シンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得する手段とをさらに具備し、
前記送信シンボルは、第１のアンテナを通して送信され、前記第２の送信シンボルは、ユーザ機器（ＵＥ）における第２のアンテナを通して送信される請求項３３記載の装置。
【請求項３７】
前記ＵＥにおける前記第１のおよび前記第２のアンテナに対する基準信号は、周波数分割多重化され、前記第３の組の副搬送波は、前記第１の組の副搬送波中に含まれていない副搬送波を含む請求項３６記載の装置。
【請求項３８】
前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい請求項３６記載の装置。
【請求項３９】
ワイヤレス通信のための装置において、
第１の組の副搬送波にマッピングされた基準シンボルと、第２の組の副搬送波にマッピングされたデータシンボルとを含む送信シンボルを、シンボル期間中に受信するようにと、
前記受信された送信シンボルを処理して、前記第１の組の副搬送波からの受信された基準シンボルと、前記第２の組の副搬送波からの受信されたデータシンボルとを取得するようにと、
前記受信された基準シンボルを処理して、チャネル推定を取得するようにと、
前記チャネル推定に基づいて、前記受信されたデータシンボルを処理して、復調されたデータシンボルを取得するように構成されている少なくとも１つのプロセッサを具備し、
前記基準シンボルは、ベースシーケンスのサイクリックシフトに対応する基準信号シーケンスに基づいて発生されている装置。
【請求項４０】
一時的でないコンピュータ読取可能媒体を具備するコンピュータプログラムプロダクトにおいて、
少なくとも１つのプロセッサに、第１の組の副搬送波にマッピングされた基準シンボルと、第２の組の副搬送波にマッピングされたデータシンボルとを含む送信シンボルを、シンボル期間中に受信させるためのコードと、
前記少なくとも１つのプロセッサに、前記受信された送信シンボルを処理させて、前記第１の組の副搬送波からの受信された基準シンボルと、前記第２の組の副搬送波からの受信されたデータシンボルとを取得するためのコードと、
前記少なくとも１つのプロセッサに、前記受信された基準シンボルを処理させて、チャネル推定を取得するためのコードと、
前記少なくとも１つのプロセッサに、前記チャネル推定に基づいて、前記受信されたデータシンボルを処理させて、復調されたデータシンボルを取得するためのコードとを含み、
前記基準シンボルは、ベースシーケンスのサイクリックシフトに対応する基準信号シーケンスに基づいて発生されているコンピュータプログラムプロダクト。
【発明の詳細な説明】
【優先権の主張】
【０００１】
本出願は、“ＬＴＥ−Ａ物理アップリンク共有チャネルに対する柔軟な復調基準信号オーバーヘッド”と題され、２００９年１０月３０日に出願され、参照によりここに組み込まれている米国仮出願シリアル番号第６１／２５６，８９５号に対する優先権を主張する。
【背景】
【０００２】
Ｉ．分野
本開示は、一般的に通信に関し、さらに詳細には、ワイヤレス通信システムにおいて基準信号とデータを送信するための技術に関する。
【０００３】
ＩＩ．背景
ワイヤレス通信システムは、音声、ビデオ、パケットデータ、メッセージング、ブロードキャスト等のような、さまざまな通信コンテンツを提供するために幅広く展開されている。これらのワイヤレスシステムは、利用可能なシステムリソースを共有することにより複数のユーザをサポートすることが可能である、多元接続システムであってもよい。このような多元接続システムの例は、コード分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムとを含む。
【０００４】
ワイヤレス通信システムは、多数のユーザ機器（ＵＥ）に対する通信をサポートすることができる多数の基地局を含んでいてもよい。ＵＥは、ダウンリンクおよびアップリンクを通して、基地局と通信してもよい。ダウンリンク（または、フォワードリンク）は、基地局からＵＥへの通信リンクのことを指し、アップリンク（または、リバースリンク）は、ＵＥから基地局への通信リンクのことを指す。ＵＥは、基準信号とデータを基地局に送信してもよい。チャネル推定や、データ復調や、および／または、他の目的のために、基準信号が使用されてもよい。基準信号は有用であることがあるが、基準信号を送信するのにリソースが消費される。リソース利用を改善するために、できる限り効率的に基準信号とデータを送信することが望ましい。
【概要】
【０００５】
基準信号とデータを効率的に送信するための技術をここで説明する。ある態様では、周波数分割多重化（ＦＤＭ）を使用して、同じシンボル期間中の異なる組の副搬送波上で、基準信号とデータを多重化して、送信してもよい。特に、送信のためにＵＥに割り当てられているＭ個の副搬送波のサブセット上で、基準信号を送信してもよい。基準信号に対して使用されていない残りの副搬送波上で、データを送信してもよい。基準信号とデータは、オーバーヘッド、チャネル推定性能、データスループット等の間のトレードオフに基づいて、柔軟に多重化されてもよい。
【０００６】
１つの設計では、ＵＥは、データに対する１組の変調シンボル上で離散フーリエ変換（ＤＦＴ）を実行して、データシンボルを取得してもよい。ＵＥは、基準シンボルを取得してもよく、基準シンボルは、ベースシーケンスのサイクリックシフトに対応する基準信号シーケンスに基づいて発生されてもよい。ベースシーケンスは、Ｚａｄｏｆｆ−Ｃｈｕシーケンス、または、コンピュータ発生されたシーケンス、または、良好な相関性質を有する他の何らかのシーケンスを含んでいてもよい。基準シンボルは、データシンボルを復調するのに使用される復調基準信号（ＤＭＲＳ）か、または、他の何らかの基準信号に対するものであってもよい。ＵＥは、基準シンボルを、シンボル期間中の第１の組の副搬送波にマッピングしてもよい。ＵＥは、データシンボルを、シンボル期間中の第２の組の副搬送波にマッピングしてもよい。ＵＥは、マッピングされた基準シンボルと、マッピングされたデータシンボルとに基づいて、送信シンボルを発生させてもよい。ＵＥは、ＵＥにおけるアンテナを通して、送信シンボルを送信してもよい。ＵＥはまた、（ｉ）スロットまたはサブフレームの複数のシンボル期間中で、基準信号データとデータを多重化して、送信してもよく、ならびに／あるいは、（ｉｉ）周波数分割多重化（ＦＤＭ）またはコード分割多重化（ＣＤＭ）を使用して、基準信号データとデータを多重化して、複数のアンテナから、送信してもよい。
【０００７】
１つの設計では、基地局は、第１の組の副搬送波にマッピングされた基準シンボルと、第２の組の副搬送波にマッピングされたデータシンボルとを含む送信シンボルを受信してもよい。基地局は、受信された送信シンボルを処理して、第１の組の副搬送波からの受信された基準シンボルを取得し、受信されたデータシンボルを処理して、第２の組の副搬送波からの受信されたデータシンボルを取得してもよい。基地局は、受信された基準シンボルを処理して、チャネル推定を取得してもよい。基地局は、チャネル推定に基づいて、受信されたデータシンボルを処理して、復調されたデータシンボルを取得してもよい。ＤＦＴプリコーディングによりデータが送信される場合に、基地局は、復調されたデータシンボル上で逆ＤＦＴ（ＩＤＦＴ）を実行して、受信された変調シンボルを取得してもよい。基地局は、受信された変調シンボルをさらに処理して、第２の組の副搬送波上で送信されるデータを復元してもよい。
【０００８】
本開示のさまざまな態様および特徴をさらに詳細に説明する。
【図面の簡単な説明】
【０００９】
【図１】図１は、ワイヤレス通信システムを示している。
【図２】図２は、アップリンクに対する例示的な送信構造を示している。
【図３】図３は、送信機モジュールのブロックダイヤグラムを示している。
【図４】図４は、ずらされているパイロット副搬送波上でのＤＭＲＳの送信を示している。
【図５Ａ】図５Ａは、通常のサイクリックプリフィックスを持つスロットの２個のシンボル期間中でのＤＭＲＳおよびデータの送信を示している。
【図５Ｂ】図５Ｂは、拡張されたサイクリックプリフィックスを持つスロットの２個のシンボル期間中でのＤＭＲＳおよびデータの送信を示している。
【図６】図６は、ＦＤＭにより複数のアンテナからＤＭＲＳを送信するための送信機モジュールのブロックダイヤグラムを示している。
【図７】図７は、ＣＤＭにより複数のアンテナからＤＭＲＳを送信するための送信機モジュールのブロックダイヤグラムを示している。
【図８】図８は、受信機モジュールのブロックダイヤグラムを示している。
【図９】図９は、基準信号およびデータを送信するためのプロセスを示している。
【図１０】図１０は、基準信号およびデータを受信するためのプロセスを示している。
【図１１】図１１は、基地局およびＵＥのブロックダイヤグラムを示している。
【詳細な説明】
【００１０】
ここで説明する技術を、ＣＤＭＡシステム、ＴＤＭＡシステム、ＦＤＭＡシステム、ＯＦＤＭＡシステム、ＳＣ−ＦＤＭＡシステム、および、他のシステムのような、さまざまなワイヤレス通信システムに対して使用してもよい。用語“システム”および“ネットワーク”は、区別なく使用することが多い。ＣＤＭＡシステムは、ユニバーサル地上無線アクセス（ＵＴＲＡ）、ｃｄｍａ２０００等のような、無線技術を実現してもよい。ＵＴＲＡは、ワイドバンドＣＤＭＡ（ＷＣＤＭＡ）と、時分割同期ＣＤＭＡ（ＴＤ−ＳＣＤＭＡ）と、ＣＤＭＡの他の変形とを含んでいる。ｃｄｍａ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような、無線技術を実現してもよい。ＯＦＤＭＡシステムは、エボルブドＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ（登録商標）等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、周波数分割デュプレックス（ＦＤＤ）および時分割デュプレックス（ＴＤＤ）の双方において、ダウンリンク上ではＯＦＤＭＡを用い、アップリンク上ではＳＣ−ＦＤＭＡを用いるＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、および、ＧＳＭは、“第三世代パートナーシッププロジェクト”（３ＧＰＰ）という名の組織による文書中に記述されている。ｃｄｍａ２０００とＵＭＢは、“第三世代パートナーシッププロジェクト２”（３ＧＰＰ２）という名の組織による文書中に記述されている。上記で言及したシステムおよび無線技術とともに、他のシステムおよび無線技術に対して、ここで説明する技術を使用してもよい。明確さのために、ＬＴＥに対して、技術のある態様を以下で説明し、以下の説明の大半では、ＬＴＥの専門用語を使用する。
【００１１】
図１は、ワイヤレス通信システム１００を示しており、ワイヤレス通信システム１００は、ＬＴＥシステムまたは他の何らかのシステムであってもよい。システム１００は、多数のエボルブドノードＢ（ｅＮＢ）１１０と他のネットワークエンティティとを含んでいてもよい。ｅＮＢは、ＵＥと通信するエンティティであってもよく、ノードＢ、基地局、アクセスポイント等として呼ばれることもある。各ｅＮＢ１１０は、特定の地理的エリアに対する通信カバレッジを提供してもよく、そのカバレッジエリア内に位置するＵＥに対する通信をサポートしてもよい。システム容量を改善するために、ｅＮＢのカバレッジエリア全体を、複数の（例えば、３個の）より小さなエリアに区分してもよい。より小さな各エリアは、それぞれのｅＮＢサブシステムにより担当されてもよい。３ＧＰＰでは、用語“セル”は、このカバレッジエリアを担当するｅＮＢおよび／またはｅＮＢサブシステムの、最小のカバレッジエリアのことを指すことがある。
【００１２】
ネットワーク制御装置１３０は、１組のｅＮＢに結合してもよく、これらのｅＮＢに対する調整と制御を提供してもよい。ネットワーク制御装置１３０は、移動性管理エンティティ（ＭＭＥ）および／または他の何らかのネットワークエンティティを含んでもよい。
【００１３】
ＵＥ１２０は、システム全体を通して散らばっていてもよく、各ＵＥは、据え置き型のものまたは移動性のものであってもよい。ＵＥは、移動局、端末、アクセス端末、加入者ユニット、局等として呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック等であってもよい。
【００１４】
ＬＴＥは、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、周波数範囲を複数の（Ｋ個の）直交副搬送波に区分し、これらの直交副搬送波は、通常、トーン、ビン等としても呼ばれる。各副搬送波はデータと多重化されてもよい。一般に、変調シンボルは、ＯＦＤＭによる周波数ドメイン中で、および、ＳＣ−ＦＤＭによる時間ドメイン中で送られる。隣接する副搬送波間の間隔は固定されていてもよく、副搬送波の総数（Ｋ個）は、システム帯域幅に依存してもよい。例えば、副搬送波の間隔は、１５キロヘルツ（ＫＨｚ）であってもよく、１．４メガヘルツ（ＭＨｚ）、３メガヘルツ（ＭＨｚ）、５メガヘルツ（ＭＨｚ）、１０メガヘルツ（ＭＨｚ）、または、２０メガヘルツ（ＭＨｚ）のシステム帯域幅に対して、Ｋは、それぞれ、１２８、２５６、５１２、１０２４、または、２０４８に等しくてもよい。システム帯域幅は、Ｋ個の総副搬送波のサブセットに対応していてもよく、残りの副搬送波は、ガード帯域としての役割を果たしてもよい。
【００１５】
図２は、ＬＴＥにおいてアップリンクに対して使用してもよい送信構造２００を示している。アップリンクに対する送信時間ラインは、サブフレームのユニットに区分してもよい。各サブフレームは、例えば、１ミリ秒（ｍｓ）のような、予め定められた持続時間を有していてもよく、各サブフレームは、２個のスロットに区分されてもよい。各スロットは、Ｑ個のシンボル期間をカバーしてもよく、ここで、Ｑは、サイクリックプリフィックス長に依存してもよい。例えば、各スロットは、（図２において示されていない）拡張されたサイクリックプリフィックスに対しては、６個のシンボル期間をカバーしてもよく、または、（図２において示されている）通常のサイクリックプリフィックスに対しては、７個のシンボル期間をカバーしてもよい。各スロット中で、多数のリソースブロックを規定してもよい。各リソースブロックは、１個のスロット中の１２個の副搬送波をカバーしてもよく、多数のリソースエレメントを含んでもよい。各リソースエレメントは、１個のシンボル期間中の１個の副搬送波をカバーしてもよく、実数値または複素数値であってもよい１個の変調シンボルを送るために使用されてもよい。各スロット中の利用可能なリソースブロックは、アップリンク上での送信のためにＵＥに割り当てられてもよい。
【００１６】
図２はまた、１個のサブフレームの２個のスロット中の物理アップリンク共有チャネル（ＰＵＳＣＨ）上での例示的なアップリンク送信を示している。２個のスロットは、通常のサイクリックプリフィックスに対しては、０ないし１３のインデックスを持つ１４個のシンボル期間を含んでいる。送信のために、ＵＥにはＭ個の副搬送波が割り当てられてもよく、ここで、Ｍは、１２の整数の倍数であってもよく、これは、１個のリソースブロックに対する副搬送波の数である。ＵＥは、シンボル期間３およびシンボル期間１０を除くサブフレームの各シンボル期間中の、Ｍ個の割り当てられた副搬送波上で、データを運ぶＳＣ−ＦＤＭＡシンボルを送信してもよい。ＵＥは、シンボル期間３およびシンボル期間１０のそれぞれにおける、Ｍ個の割り当てられた副搬送波上で、復調基準信号（ＤＭＲＳ）を運ぶＳＣ−ＦＤＭＡシンボルを送信してもよい。基準信号は、送信機および受信機によりアプリオリに知られる信号であり、パイロット、プリアンブル、基準、トレーニングシーケンス等として呼ばれることもある。ＤＭＲＳは、ＵＥにより送信される基準信号であり、チャネル推定およびデータ／コヒーレント復調のためにｅＮＢによりＤＭＲＳが使用されてもよい。
【００１７】
拡張されたサイクリックプリフィックスに対しては、１個のサブフレームの２個のスロットは、０ないし１１のインデックスを持つ１２個のシンボル期間を含んでいる。ＵＥは、シンボル期間２およびシンボル期間８を除くサブフレームの各シンボル期間中の、Ｍ個の割り当てられた副搬送波上で、データを運ぶＳＣ−ＦＤＭＡシンボルを送信してもよい。ＵＥは、シンボル期間２およびシンボル期間８のそれぞれにおける、Ｍ個の割り当てられた副搬送波上で、ＤＭＲＳを運ぶＳＣ−ＦＤＭＡシンボルを送信してもよい。
【００１８】
図２において示されているように、各スロット中の１個のＳＣ−ＦＤＭＡシンボル中でＤＭＲＳを送信してもよい。その後、ＤＭＲＳに対するオーバーヘッドは、通常のサイクリックプリフィックスでは、おおよそ１４％（すなわち、７個のＳＣ−ＦＤＭＡシンボルのうちの１個）であってもよく、あるいは、拡張されたサイクリックプリフィックスでは、おおよそ１７％（すなわち、６個のＳＣ−ＦＤＭＡシンボルのうちの１個）であってもよい。改善されたチャネル推定性能を取得することができるように、ＤＭＲＳに起因するオーバーヘッドを減少させること、および／または、ＤＭＲＳを送信することが望ましい。
【００１９】
ある態様では、ＦＤＭを使用して、同じシンボル期間中の異なる組の副搬送波上で、ＤＭＲＳとデータを多重化して、送信してもよい。特に、送信のためにＵＥに割り当てられたＭ個の副搬送波のサブセット上で、ＤＭＲＳを送信してもよい。ＤＭＲＳに対して使用されていない残りの副搬送波上で、データを送信してもよい。ＤＭＲＳとデータを、ＤＭＲＳオーバーヘッド、チャネル推定性能、データスループット等の間のトレードオフに基づいて、柔軟に多重化してもよい。
【００２０】
ＤＭＲＳとデータは、さまざまな方法で、周波数分割多重化されてもよい。１つの設計では、Ｓ個ごとの副搬送波のうちの１個の副搬送波上でＤＭＲＳを送信してもよく、ここで、Ｓは、１よりも大きい何らかの整数値であってもよい。この設計は、結果として、櫛状の構造を占める等間隔の副搬送波上で、ＤＭＲＳが送信されることになる。ＤＭＲＳに対して使用されていない残りの副搬送波上でデータを送信してもよい。１つの設計では、Ｓは、固定値であってもよく、ＤＭＲＳオーバーヘッドとチャネル推定性能との間のトレードオフに基づいて選択されてもよい。別の設計では、Ｓは、構成可能な値であってもよく、チャネル条件、所望のＤＭＲＳオーバーヘッド、所望の性能等に基づいて選択されてもよい。ＤＭＲＳとデータは、他の方法でも多重化されてもよい。
【００２１】
明確さのために、以下の説明の大半は、ＵＥにＭ個の副搬送波が割り当てられることを仮定している。ＵＥは、Ｐ個のパイロット副搬送波上でＤＭＲＳを送信してもよく、Ｐ個のパイロット副搬送波は、ＤＭＲＳを送信するのに使用される副搬送波である。パイロット副搬送波は、Ｓ個の副搬送波ごとに間隔が離れていてもよい。簡潔さのために、Ｓは、Ｍ＝Ｓ＊Ｐのような、Ｍの整数の約数であってもよい。ＵＥは、残りのＤ個のデータ副搬送波上でデータを送信してもよく、残りのＤ個のデータ副搬送波は、データを送信するのに使用される副搬送波である。データ副搬送波は、Ｓ個ごとの副搬送波のうちのＳ−１個の副搬送波を含んでいてもよい。データ副搬送波の数は、Ｄ＝（Ｓ−１）＊Ｐとして与えられてもよく、割り当てられる副搬送波の数は、Ｍ＝Ｐ＋Ｄとして与えられてもよい。
【００２２】
図３は、ＵＥ用の送信機モジュール３００の設計のブロックダイヤグラムを示している。モジュール３００は、１個のシンボル期間中の異なる組のパイロット副搬送波上およびデータ副搬送波上で、ＤＭＲＳとデータを多重化することができる。モジュール３００内では、ＤＦＴユニット３１０は、データ（例えば、トラフィックデータおよび／または制御データ）に対するＤ個の変調シンボルを受信してもよく、Ｄ個の変調シンボル上でＤ−ポイントＤＦＴを実行してもよく、Ｄ個の周波数ドメインデータシンボルを提供してもよい。発生器３２０は、ＤＭＲＳに対してＵＥに割り当てられた基準信号（ＲＳ）シーケンスを受信してもよく、ＲＳシーケンスに基づいて、Ｐ個の基準シンボルを発生させてもよい。シンボル対副搬送波マッパー３３０は、ＤＦＴユニット３１０からＤ個のデータシンボルを受け取ってもよく、発生器３２０からＰ個の基準シンボルを受け取ってもよい。マッパー３３０は、Ｐ個の基準シンボルをＰ個のパイロット副搬送波にマッピングしてもよく、Ｄ個のデータシンボルをＤ個のデータ副搬送波にマッピングしてもよい。図３において示されている例では、Ｍ個の副搬送波には０ないしＭ−１のインデックスが割り当てられてもよく、基準シンボルは、副搬送波０、Ｓ、２Ｓ等にマッピングされてもよく、データシンボルは、残りの副搬送波にマッピングされてもよい。一般に、パイロット副搬送波は、副搬送波Ｏ，Ｓ＋Ｏ，２Ｓ＋Ｏ，．．．，を含んでいてもよく、ここで、Ｏは、０≦Ｏ＜Ｓとして与えられてもよいオフセットを示す。
【００２３】
マッパー３３０はまた、ゼロの信号値を持つゼロのシンボルを、ＵＥに割り当てられていないＫ−Ｍ個の残りの副搬送波にマッピングしてもよく、Ｋ個のマッピングされたシンボルをＫ個の総副搬送波に提供してもよい。逆高速フーリエ変換（ＩＦＦＴ）ユニット３４０は、Ｋ個のマッピングされたシンボル上でＫ−ポイントＩＦＦＴを実行してもよく、有効な部分に対してＫ個の時間ドメインサンプルを提供してもよい。サイクリックプリフィックス挿入ユニット３５０は、有効な部分の最後のＧ個の時間ドメインサンプルをコピーしてもよく、Ｇ個のコピーしたサンプルを有効な部分の前方に付加してもよく、Ｋ＋Ｇ個の時間ドメインサンプルを含む送信シンボルを提供してもよい。コピーしたサンプルは、サイクリックプリフィックスとしても呼ばれ、周波数選択フェーディングを抑制するために使用される。一般に、送信シンボルは、ＳＣ−ＦＤＭＡシンボルや、ＯＦＤＭシンボルや、インターリーブ周波数分割多重化（ＩＦＤＭ）シンボルや、局所化された周波数分割多重化（ＬＦＤＭ）シンボル等であってもよい。
【００２４】
図３において示されている設計では、より低いキュービックメトリックを取得するために、データ副搬送波にマッピングする前にデータシンボルをＤＦＴプリコーディングしてもよい（または、ＤＦＴを通して渡してもよい）。キュービックメトリックは、信号中の歪みの量を示している。歪みは、ＵＥにおける電力増幅器の電力能力の減少（すなわち、電力の減定格）を必要とするかもしれない。より低いキュービックメトリックは、電力増幅器をより低いバックオフで動作させるのを可能にし、したがって、所望のより高い出力電力を提供することができる。ユニット３３０、３４０、および３５０は、従来のＯＦＤＭ変調器の一部であるので、図３では、ＤＦＴ−プリコーディングされたＯＦＤＭを使用してデータを送信するように考えられていてもよい。ＤＦＴ−プリコーディングされたＯＦＤＭは、ＳＣ−ＦＤＭＡの一形態としても考えてもよい。
【００２５】
別の設計では、データに対する変調シンボルは、（最初にＤＦＴを通すことなく）データ副搬送波に直接マッピングしてもよい。この設計では、ＯＦＤＭを使用してデータを送信してもよい。データはまた、他の方法でＤＭＲＳと多重化されて、送信されてもよい。
【００２６】
図３において示されている設計では、ＯＦＤＭを使用してＤＭＲＳを送信してもよく、（最初にＤＦＴを通すことなく）基準シンボルを直接パイロット副搬送波にマッピングしてもよい。別の設計では、ＩＦＤＭを使用して、ＤＭＲＳを送信してもよい。この設計では、Ｐ個の周波数ドメインシンボルを取得するために、Ｐ−ポイントＤＦＴを通して基準シンボルが渡されてもよく、Ｐ個の周波数ドメインシンボルは、その後、Ｐ個のパイロット副搬送波にマッピングされてもよい。ＤＭＲＳはまた、他の方法で送信されてもよい。
【００２７】
さまざまな方法で、ＤＭＲＳに対する基準シンボルを発生させてもよい。１つの設計では、例えば、図３において示されているように、良好な相関性質を有するＲＳシーケンスに基づいて、基準シンボルを発生させてもよい。１つの設計では、良好な相関性質を有するベースシーケンスを使用して、１組のＲＳシーケンスを発生させてもよい。ベースシーケンスは、フラットスペクトル応答とゼロの自己相関を有するＣＡＺＡＣ（定振幅ゼロ自己相関）シーケンスであってもよい。ゼロの自己相関は、ＣＡＺＡＣシーケンスのそれ自身との相関が、結果として、ゼロのオフセットにおいて大きな値になり、他のすべてのオフセットにおいて、小さな（または、ゼロの）値になることを意味している。ゼロの自己相関性質は、ＣＡＺＡＣシーケンスの正確な検出に対して有益である。いくつかの例示的なＣＡＺＡＣシーケンスは、Ｚａｄｏｆｆ−Ｃｈｕシーケンスや、Ｃｈｕシーケンスや、Ｆｒａｎｋシーケンスや、一般化されたチャープ状（generalized chirp-like）（ＧＣＬ）シーケンス等を含む。ベースシーケンスはまた、良好な相関性質（例えば、ＣＡＺＡＣ性質）を有するコンピュータ発生されたシーケンスであってもよい。
【００２８】
以下のように、時間ドメインにおいて、ベースシーケンスｒ（ｎ）を異なる量だけサイクリックにシフトすることにより、１組のＲＳシーケンスが規定されてもよい：
【数１】
2013509830.tif 000003
【数２】
2013509830.tif 000004
【００２９】
ここで、ｒp（ｎ）は、ｐのサイクリックシフトを持つ時間ドメインＲＳシーケンスであり、
Ｒ（ｋ）は、ｒ（ｎ）のＤＦＴであり、
Ｒp（ｋ）は、ｐのサイクリックシフトを持つ周波数ドメインＲＳシーケンスであり、“ｍｏｄ”は、モジュロ演算を示している。
【００３０】
式（１）において示されているように、時間ドメインでの、長さＰのベースシーケンスのＰ個までの異なるサイクリックシフトにより、Ｐ個までのＲＳシーケンスが規定されてもよい。式（２）において示されているように、時間ドメインでのサイクリックシフトは、周波数ドメインでの位相ランプの適用と同等である。明確さのために、以下の説明の大半は、時間ドメインＲＳシーケンスのことを指す。１個のＲＳシーケンスが、ＵＥに割り当てられ、基準シンボルを発生させるために使用されてもよい。例えば、図２において示されているように、ＵＥに割り当てられたすべてのＭ個の副搬送波上でＤＭＲＳが送信される場合に、ＲＳシーケンスは、Ｍの長さを有していてもよく、Ｍ個の基準シンボルを含んでいてもよい。しかしながら、図３において示されているように、Ｓ個の副搬送波ごとにＤＭＲＳが送信される場合には、ＲＳシーケンスは、Ｐの長さを有していてもよく、Ｐ個のパイロット副搬送波に対してＰ個の基準シンボルを含んでいてもよい。一般に、ＤＭＲＳに対して使用されるパイロット副搬送波の数に一致する長さを有するように、ＲＳシーケンスが規定されてもよい。
【００３１】
図３において示されている設計に対しては、すべての副搬送波ではなく、Ｓ個の副搬送波ごとにＤＭＲＳが送信されるので、ＤＭＲＳに起因するオーバーヘッドをＳ分の１に減少させることができる。したがって、ＤＭＲＳに起因するオーバーヘッドは、通常のサイクリックプリフィックスに対しては（１４／Ｓ）％に減少させることができ、または、拡張されたサイクリックプリフィックスに対しては（１７／Ｓ）％に減少させることができる。例として、パイロット副搬送波間のＳ＝２個の副搬送波の間隔に対しては、ＤＭＲＳオーバーヘッドは、通常のサイクリックプリフィックスに対して、おおよそ１４％からおおよそ７％へと５０％だけ減少させることができる。
【００３２】
図４は、１個のサブフレームの２個のスロット中のずらされているパイロット副搬送波上で、ＤＭＲＳを送信する設計を示している。図４において示されている例では、ＵＥには、Ｍ＝２４個の副搬送波が割り当てられ、１個のシンボル期間中のＰ＝６個のパイロット副搬送波上でＤＭＲＳが送信され、パイロット副搬送波は、Ｓ＝４個の副搬送波ごとに間隔が離れている。ＵＥは、標準のサイクリックプリフィックスに対しては、シンボル期間３およびシンボル期間１０のそれぞれにおいて、ＤＭＲＳとデータを送信してもよい。ＵＥは、シンボル期間３中の副搬送波０、４、８、１２、１６、および２０上でＤＭＲＳを送信してもよく、ならびに、シンボル期間１０中の副搬送波２、６、１０、１４、１８、および、２２上でＤＭＲＳを送信してもよい。したがって、シンボル期間１０中のパイロット副搬送波は、シンボル期間３中のパイロット副搬送波に関してずらされている。パイロットシンボルをずらすことにより、ｅＮＢが、周波数においてより密なチャネル観測を取得することと、より多くの副搬送波に対するチャネル利得を推定することとが可能になり、これにより性能を改善することができる。
【００３３】
図４において示されている設計では、各スロット中の１個のシンボル期間中でＤＭＲＳが送信されている。この設計は、据え置き型のＵＥまたは移動性の低いＵＥに対する良好なチャネル推定性能を提供することができる。移動性の高いＵＥに対する良好なチャネル推定性能を取得するためには、各スロットのより多くのシンボル期間中でＤＭＲＳを送信することが望ましいかもしれない。
【００３４】
図５Ａは、通常のサイクリックプリフィックスを持つサブフレームの各スロットの２個のシンボル期間中で、ＤＭＲＳとデータを送信する設計を示している。図５Ａにおいて示されている設計では、ＤＭＲＳとデータは、異なる副搬送波上で多重化されて、第２のシンボル期間（例えば、シンボル期間１およびシンボル期間８）中で送信されてもよく、また、各スロットの最後から２番目のシンボル期間（例えば、シンボル期間５およびシンボル期間１２）中で送信されてもよい。
【００３５】
図５Ｂは、拡張されたサイクリックプリフィックスを持つサブフレームの各スロットの２個のシンボル期間中で、ＤＭＲＳとデータを送信する設計を示している。図５Ｂにおいて示されている設計では、ＤＭＲＳとデータは、異なる副搬送波上で多重化されて、第２のシンボル期間（例えば、シンボル期間１およびシンボル期間７）中で送信されてもよく、また、各スロットの最後から２番目のシンボル期間（例えば、シンボル期間４およびシンボル期間１０）中で送信されてもよい。
【００３６】
図５Ａおよび図５Ｂは、各スロットの２個のシンボル期間中でＤＭＲＳとデータを送信する例示的な設計を示している。一般に、ＤＭＲＳとデータは、スロット（または、サブフレーム）の任意の数のシンボル期間中で送信されてもよく、また、スロット（または、サブフレーム）のいずれのシンボル期間中で送信されてもよい。ＤＭＲＳを送信するシンボル期間の数は、ＵＥの移動性や、所望のＤＭＲＳオーバーヘッドや、所望の性能等に基づいて選択されてもよい。より高いＵＥの移動性に対して、より多くのシンボル期間中でＤＭＲＳが送信されてもよく、これにより、ＵＥの移動性に起因する高いドップラーが存在するときに信頼性の高いチャネル推定が可能になるように、ｅＮＢが、時間においてスロット当たりより多くのチャネル観測を有することが可能になってもよい。
【００３７】
図５Ａおよび図５Ｂにおいて示されている設計に対して、ＤＭＲＳに起因するオーバーヘッドは、通常のサイクリックプリフィックスに対しては（２８／Ｓ）％であってもよく、または、拡張されたサイクリックプリフィックスに対しては（３４／Ｓ）％であってもよい。例として、パイロット副搬送波間のＳ＝２個の副搬送波の間隔に対して、ＤＭＲＳオーバーヘッドは、通常のサイクリックプリフィックスに対してはおおよそ１４％であってもよく、または、拡張されたサイクリックプリフィックスに対してはおおよそ１７％であってもよい。このＤＭＲＳオーバーへッドの量は、図２において示されている設計に対するオーバーヘッドに類似してもよく、したがって、許容可能であってもよい。
【００３８】
システムは、ＵＥにおける複数のアンテナからのアップリンク送信をサポートしてもよい。このケースでは、ｅＮＢが、ＵＥにおける各アンテナに対するチャネル応答を推定することが可能になるように、ＵＥにおける各アンテナからＤＭＲＳを送信することが望ましい。ＤＭＲＳは、さまざまな方法でデータと多重化されて、ＵＥにおける複数のアンテナから送信されてもよい。
【００３９】
第１の設計では、ＵＥは、ＦＤＭにより、複数（Ｔ本）のアンテナからＤＭＲＳを送信してもよい。ＵＥは、各アンテナから、１組のＰ個のパイロット副搬送波上で、ＤＭＲＳを送信してもよく、１組のＰ個のパイロット副搬送波は、Ｓ個ごとの副搬送波のうちの１個の副搬送波を含んでいてもよい（１本のアンテナでのケースと同様である）。Ｓは、固定値か、または、構成可能な値であってもよく、チャネル条件や、所望のＤＭＲＳオーバーヘッドや、所望のチャネル推定性能や、および／または、他の基準に基づいて、選択されてもよい。ＵＥは、Ｔ本のアンテナから、異なる組のＰ個のパイロット副搬送波上で、ＤＭＲＳを送信してもよい。すべてのＴ本のアンテナ用のＤＭＲＳに対して、Ｓ個ごとの搬送波のうちのＴ個の副搬送波と、総数Ｔ＊Ｐ個のパイロット副搬送波を使用してもよい。ＵＥは、データからＤＭＲＳへの干渉を避けるために、すべてのアンテナ用のパイロット副搬送波上でデータを送信するのを避けてもよい。したがって、Ｓ個ごとの副搬送波のうちのＳ−Ｔ個の副搬送波上でデータを送信してもよい。
【００４０】
図６は、送信モジュール６００の設計のブロックダイヤグラムを示しており、送信モジュール６００は、ＦＤＭにより、ＵＥにおける２本のアンテナからＤＭＲＳを送信することができる。この設計では、（ｉ）副搬送波０、Ｓ、２Ｓ等を含んでもよい第１の組のＰ個のパイロット副搬送波上で、第１のアンテナ（ＴＸアンテナ１）から、ＤＭＲＳが送信されてもよく、（ｉｉ）副搬送波１、Ｓ＋１、２Ｓ＋１等を含んでもよい第２の組のＰ個のパイロット副搬送波上で、第２のアンテナ（ＴＸアンテナ２）から、ＤＭＲＳが送信されてもよい。同じＤ’個のデータ副搬送波上で、各アンテナからデータが送信されてもよく、ここで、Ｄ’＝Ｍ−２Ｐである。
【００４１】
モジュール６００内では、第１のアンテナに対して、ＤＦＴユニット６１０ａが、第１のアンテナから送信されることになるデータに対するＤ’個の変調シンボルを受信し、これらのＤ’個の変調シンボル上でＤ’−ポイントＤＦＴを実行し、Ｄ’個の周波数ドメインデータシンボルを提供してもよい。発生器６２０ａは、ＤＭＲＳに対してＵＥに割り当てられたＲＳシーケンスを受信してもよく、ＲＳシーケンスに基づいて、Ｐ個の基準シンボルを発生させてもよい。シンボル対副搬送波マッパー６３０ａは、ＤＦＴユニット６１０ａからＤ’個のデータシンボルを受け取ってもよく、発生器６２０ａからＰ個の基準シンボルを受け取ってもよい。マッパー６３０ａは、Ｐ個の基準シンボルを第１のアンテナ用のＰ個のパイロット副搬送波にマッピングしてもよく、Ｄ’個のデータシンボルをＤ’個のデータ副搬送波にマッピングしてもよく、ゼロのシンボルを（第２のアンテナ用のＰ個のパイロット副搬送波を含む）残りの副搬送波にマッピングしてもよく、Ｋ個のマッピングされたシンボルを総数Ｋ個の副搬送波に提供してもよい。ＩＦＦＴユニット６４０ａは、Ｋ個のマッピングされたシンボル上でＫ−ポイントＩＦＦＴを実行し、有効な部分に対してＫ個の時間ドメインサンプルを提供してもよい。サイクリックプリフィックス挿入ユニット６５０ａは、有効な部分にサイクリックプリフィックスを付加して、Ｋ＋Ｇ個の時間ドメインサンプルを含む送信シンボルを第１のアンテナに提供してもよい。
【００４２】
第２のアンテナに対しては、ＤＦＴユニット６１０ｂは、第２のアンテナから送信されることになるデータに対するＤ’個の変調シンボルを受信し、これらのＤ’個の変調シンボル上でＤ’−ポイントＤＦＴを実行し、Ｄ’個の周波数ドメインデータシンボルを提供してもよい。発生器６２０ｂは、ＤＭＲＳに対してＵＥに割り当てられたＲＳシーケンスを受信してもよく、ＲＳシーケンスに基づいて、Ｐ個の基準シンボルを発生させてもよい。シンボル対副搬送波マッパー６３０ｂは、ＤＦＴユニット６１０ｂからＤ’個のデータシンボルを受け取ってもよく、発生器６２０ｂからＰ個の基準シンボルを受け取ってもよい。マッパー６３０ｂは、Ｐ個の基準シンボルを第２のアンテナ用のＰ個のパイロット副搬送波にマッピングしてもよく、Ｄ’個のデータシンボルをＤ’個のデータ副搬送波にマッピングしてもよく、ゼロのシンボルを（第１のアンテナ用のＰ個のパイロット副搬送波を含む）残りの副搬送波にマッピングしてもよく、Ｋ個のマッピングされたシンボルを総数Ｋ個の副搬送波に提供してもよい。ＩＦＦＴユニット６４０ｂは、Ｋ個のマッピングされたシンボル上でＫ−ポイントＩＦＦＴを実行し、有効な部分に対してＫ個の時間ドメインサンプルを提供してもよい。サイクリックプリフィックス挿入ユニット６５０ｂは、有効な部分にサイクリックプリフィックスを付加して、Ｋ＋Ｇ個の時間ドメインサンプルを含む送信シンボルを第２のアンテナに提供してもよい。
【００４３】
図６において示されているように、各アンテナに対して、ＤＭＲＳとデータを、異なる組のデータ副搬送波上およびパイロット副搬送波上で周波数分割多重化して、送信してもよい。図６においても示されているように、２本のアンテナ用のＤＭＲＳを、異なる組のパイロット副搬送波上で周波数分割多重化して、送信してもよい。図６において示されている設計を、任意の数のアンテナに拡張してもよい。
【００４４】
第２の設計では、ＵＥは、ＣＤＭにより、複数（Ｔ本）のアンテナからＤＭＲＳを送信してもよい。ＵＥは、各アンテナから、１組のＰ個のパイロット副搬送波上で、ＤＭＲＳを送信してもよく、１組のＰ個のパイロット副搬送波は、Ｓ個ごとの副搬送波のうちの１個の副搬送波を含んでいてもよい（１本のアンテナでのケースと同様である）。Ｓは、固定値か、または、構成可能な値であってもよい。ＵＥは、Ｔ本のアンテナから、同じ組のＰ個のパイロット副搬送波上で、ＤＭＲＳを送信してもよい。したがって、すべてのＴ本のアンテナ用のＤＭＲＳに対して、Ｓ個ごとの副搬送波のうちの１個の副搬送波のみを使用してもよい。しかしながら、各アンテナからのＤＭＲＳをｅＮＢが区別することが可能になるように、ＵＥは、Ｔ本のアンテナに対して異なるＲＳシーケンスを使用してもよい。ＵＥは、Ｓ個ごとの副搬送波のうちのＳ−１個の副搬送波上でデータを送信してもよい。
【００４５】
図７は、送信機モジュール７００の設計のブロックダイヤグラムを示しており、送信機モジュール７００は、ＣＤＭにより、ＵＥにおける２本のアンテナからＤＭＲＳを送信することができる。この設計では、（ｉ）副搬送波０、Ｓ、２Ｓ等を含んでもよい１組のＰ個のパイロット副搬送波上で、第１のアンテナ（ＴＸアンテナ１）から、ＤＭＲＳが送信されてもよく、（ｉｉ）同じ組のＰ個のパイロット副搬送波上で、第２のアンテナ（ＴＸアンテナ２）から、ＤＭＲＳが送信されてもよい。同じＤ個のデータ副搬送波上で、各アンテナからデータが送信されてもよく、ここで、Ｄ＝Ｍ−Ｐである。
【００４６】
モジュール７００内では、第１のアンテナに対して、ＤＦＴユニット７１０ａが、第１のアンテナから送信されることになるデータに対するＤ個の変調シンボルを受信し、これらのＤ個の変調シンボル上でＤ−ポイントＤＦＴを実行し、Ｄ個の周波数ドメインデータシンボルを提供してもよい。発生器７２０ａは、第１のアンテナ用のＤＭＲＳに対してＵＥに割り当てられたＲＳシーケンスを受信してもよく、ＲＳシーケンスに基づいて、Ｐ個の基準シンボルを発生させてもよい。シンボル対副搬送波マッパー７３０ａは、ＤＦＴユニット７１０ａからＤ個のデータシンボルを受け取ってもよく、発生器７２０ａからＰ個の基準シンボルを受け取ってもよい。マッパー７３０ａは、Ｐ個の基準シンボルをＰ個のパイロット副搬送波にマッピングしてもよく、Ｄ個のデータシンボルをＤ個のデータ副搬送波にマッピングしてもよく、ゼロのシンボルを残りの副搬送波にマッピングしてもよく、Ｋ個のマッピングされたシンボルを総数Ｋ個の副搬送波に提供してもよい。ＩＦＦＴユニット７４０ａは、Ｋ個のマッピングされたシンボル上でＫ−ポイントＩＦＦＴを実行し、有効な部分に対してＫ個の時間ドメインサンプルを提供してもよい。サイクリックプリフィックス挿入ユニット７５０ａは、有効な部分にサイクリックプリフィックスを付加して、Ｋ＋Ｇ個の時間ドメインサンプルを含む送信シンボルを第１のアンテナに提供してもよい。
【００４７】
第２のアンテナに対しては、ＤＦＴユニット７１０ｂは、第２のアンテナから送信されることになるデータに対するＤ個の変調シンボルを受信し、これらのＤ個の変調シンボル上でＤ−ポイントＤＦＴを実行し、Ｄ個の周波数ドメインデータシンボルを提供してもよい。発生器７２０ｂは、第２のアンテナ用のＤＭＲＳに対してＵＥに割り当てられたＲＳシーケンスを受信してもよく、ＲＳシーケンスに基づいて、Ｐ個の基準シンボルを発生させてもよい。シンボル対副搬送波マッパー７３０ｂは、ＤＦＴユニット７１０ｂからＤ個のデータシンボルを受け取ってもよく、発生器７２０ｂからＰ個の基準シンボルを受け取ってもよい。マッパー７３０ｂは、Ｐ個の基準シンボルをＰ個のパイロット副搬送波にマッピングしてもよく、Ｄ個のデータシンボルをＤ個のデータ副搬送波にマッピングしてもよく、ゼロのシンボルを残りの副搬送波にマッピングしてもよく、Ｋ個のマッピングされたシンボルを総数Ｋ個の副搬送波に提供してもよい。ＩＦＦＴユニット７４０ｂは、Ｋ個のマッピングされたシンボル上でＫ−ポイントＩＦＦＴを実行し、有効な部分に対してＫ個の時間ドメインサンプルを提供してもよい。サイクリックプリフィックス挿入ユニット７５０ｂは、有効な部分にサイクリックプリフィックスを付加して、Ｋ＋Ｇ個の時間ドメインサンプルを含む送信シンボルを第２のアンテナに提供してもよい。
【００４８】
図７において示されているように、各アンテナに対して、ＤＭＲＳとデータを、異なる組のデータ副搬送波上およびパイロット副搬送波上で周波数分割多重化して、送信してもよい。図７においても示されているように、ＣＤＭにより、２本のアンテナ用のＤＭＲＳを、同じ組のパイロット副搬送波上で送信してもよい。図７において示されている設計を、任意の数のアンテナに拡張してもよい。
【００４９】
図６および図７において示されている設計において、より低いキュービックメトリックを取得するために、データ副搬送波にマッピングする前にデータシンボルをＤＦＴプリコーディングしてもよい。別の設計では、データに対する変調シンボルを、（ＤＦＴユニットを通すことなく）直接データ副搬送波にマッピングしてもよい。
【００５０】
１つの設計では、ＲＳシーケンスに基づいて、各アンテナに対する基準シンボルを発生させてもよく、これは、上記で説明したように、良好な相関性質を有するベースシーケンスのサイクリックシフトであってもよい。図６において示されている設計では、２本のアンテナに対して、同じＲＳシーケンスを使用してもよく、または、異なるＲＳシーケンスを使用してもよい。図７において示されている設計では、２本のアンテナに対して異なるＲＳシーケンスを使用してもよく、異なるＲＳシーケンスは、同じベースシーケンスの異なるサイクリックシフトであってもよい。２本のアンテナに対する相対的なサイクリックシフトの量は、ＵＥに対するワイヤレスチャネルの予想される遅延拡散よりも大きいはずである。良好な性能を取得するために、各アンテナに対する基準シンボルは、他の方法でも発生されてもよい。
【００５１】
明確さのために、特に、ｅＮＢによるデータ復調を支援するためにＵＥによりアップリンク上で送信されるＤＭＲＳに対して、基準信号とデータを多重化する技術を説明してきた。この技術は、他のタイプの基準信号に対しても使用してもよい。
【００５２】
１つの設計では、この技術を使用して、サウンディング基準信号（ＳＲＳ）とデータを多重化してもよい。ＬＴＥでは、ある予約されたシンボル期間中でＳＲＳを送信するようにＵＥが構成されてもよく、ある予約されたシンボル期間は、あるサブフレームの最後のシンボル期間であってもよい。ＵＥはまた、システム帯域幅のすべてまたは一部分において、ＳＲＳを送信するように、ならびに、可能であれば、異なるシンボル期間中でシステム帯域幅の異なる部分において、ＳＲＳを送信するように、構成されてもよい。
【００５３】
１つの設計では、１組のサウンディング副搬送波上でＳＲＳを送信するようにＵＥが構成されてもよく、１組のサウンディング副搬送波は、ＳＲＳを送信するのに使用される副搬送波であってもよい。サウンディング副搬送波は、Ｌ個ごとの副搬送波のうちの１個の副搬送波を含んでいてもよく、ここで、Ｌは、１よりも大きい構成可能な値であってもよい。１つの設計では、ＵＥは、ＳＲＳとデータを周波数分割多重化してもよく、例えば、図３において示されているように、ＳＲＳを送信するのに使用されていないいくつかのまたはすべての副搬送波上で、データを送信してもよい。
【００５４】
ＳＲＳに対して、異なるＵＥがさまざまな方法で多重化されてもよい。１つの設計では、異なるＵＥが周波数分割多重化され、異なるＵＥには、それらのＳＲＳを送信するための異なる組のサウンディング副搬送波が割り当てられてもよい。各ＵＥは、その組のサウンディング副搬送波上でそのＳＲＳを送信してもよく、他の副搬送波上で、例えば、いずれのＵＥによってもＳＲＳに対して使用されていない副搬送波上で、データを送信してもよい。別の設計では、異なるＵＥは、コード分割多重化されてもよく、異なるＵＥには、それらのＳＲＳを送信するための、同じ組のサウンディング副搬送波ではあるが、異なるＳＲＳシーケンスが割り当てられてもよい。良好な相関性質を有するように、さまざまな方法でＳＲＳシーケンスが規定されてもよい。例えば、ＳＲＳシーケンスは、同じベースシーケンスの異なるサイクリックシフトに基づいて発生されてもよく、ｅＮＢが、各ＵＥからＳＲＳを検出するのを可能にしてもよい。さらに別の設計では、異なるＵＥは、時間分割多重化されてもよく、異なるＵＥには、それらのＳＲＳを送信するための、同じ組のサウンディング副搬送波ではあるが、異なるシンボル期間が割り当てられてもよい。ＳＲＳに対して、異なるＵＥはまた、他の方法で多重化されてもよい。
【００５５】
図８は、ｅＮＢ用の受信機モジュール８００の設計のブロックダイヤグラムを示している。モジュール８００を使用して、図３中の送信機モジュール３００に基づいてＵＥにより送られた送信を処理してもよい。モジュール８００内では、サイクリックプリフィックス除去ユニット８１０が、Ｋ＋Ｇ個の時間ドメインサンプルを含む受信された送信シンボルを取得してもよい。ユニット８１０は、サイクリックプリフィックスに対応するＧ個の時間ドメインサンプルを除去してもよく、有効な部分に対応してＫ個の時間ドメインサンプルを提供してもよい。高速フーリエ変換（ＦＦＴ）ユニット８２０は、Ｋ個の時間ドメインサンプル上でＫ−ポイントＦＦＴを実行して、総数Ｋ個の副搬送波に対するＫ個の受信されたシンボルを提供してもよい。
【００５６】
シンボル対副搬送波デマッパー８３０は、総数Ｋ個の副搬送波に対するＫ個の受信されたシンボルを取得してもよく、Ｐ個のパイロット副搬送波からのＰ個の受信された基準シンボルをチャネル推定器８４０に提供してもよく、Ｄ個のデータ副搬送波からのＤ個の受信されたデータシンボルをデータ復調器（Ｄｅｍｏｄ）８５０に提供してもよい。チャネル推定器８４０は、ＵＥに割り当てられたＭ個の副搬送波に対するチャネル推定（例えば、チャネル利得）を導出してもよい。データ復調器８５０は、チャネル推定により、Ｄ個の受信されたデータシンボル上でデータ復調（例えば、コヒーレント検出）を実行して、Ｄ個の復調されたデータシンボルを提供してもよい。ＩＤＦＴユニット８６０は、Ｄ個の復調されたデータシンボル上でＤ−ポイントＩＤＦＴを実行して、データに対するＤ個の受信された変調シンボルを提供してもよい。受信された変調シンボルをさらに処理して（例えば、シンボルデマッピングおよびデコードして）、データ副搬送波上で送信されたデータを復元してもよい。
【００５７】
図８は、ＵＥにおける１本のアンテナから送られた、受信された送信シンボルを処理する設計を示している。受信された送信シンボルはまた、他の方法で処理されてもよい。（図８において示されているような周波数ドメイン中の代わりに、）例えば、時間ドメイン中で、チャネル推定およびデータ復調が実行されてもよい。
【００５８】
ＤＭＲＳおよびデータをＵＥにおける複数のアンテナを通して送信するときに、チャネル推定およびデータ復調はまた、他の方法で実行されてもよい。例えば、そのアンテナから送信された基準シンボルに基づいて、各アンテナに対するチャネル推定を導出してもよい。例えば、最小平均二乗誤差（ＭＭＳＥ）または他の何らかの複数入力複数出力（ＭＩＭＯ）検出スキームを使用して、（ｉ）各アンテナに対して別々に、または、（ｉｉ）すべてのアンテナに対して合同で、データ復調が実行されてもよい。
【００５９】
ここで説明する技術は、さまざまな利点を提供することができる。第１に、この技術は、ＤＭＲＳ、ＳＲＳ等のような基準信号に対するオーバーヘッドの減少を可能にする。例えば、送信ランクが低く（例えば、ランク１ビーム形成）、信号対ノイズ干渉比（ＳＩＮＲ）が高いときのような、ある動作シナリオでは、ＤＭＲＳに対してより少ないパイロット副搬送波を使用してもよく、オーバーヘッドを減少させてもよい。適切な値のＳを選択することにより、ＤＭＲＳオーバーヘッドを柔軟に調節してもよい。第２に、この技術は、基準信号を、時間においてよりしばしば送信すること（例えば、時間においてより密なＤＭＲＳ）を可能にしながら、基準信号に対する適正なオーバーヘッドを維持する。（例えば、２．６ＧＨｚの搬送波周波数を持ち、３５０ｋｍ／ｈｒのスピードでＵＥが移動するときに）、ＵＥの移動性に起因するより高いドップラー周波数において、信頼性の高いチャネル推定をサポートするのに、（例えば、図２において示されているような）スロット当たり１個のシンボル期間中でのＤＭＲＳの送信は、時間において十分に密でないことがある。このような高い移動性のシナリオでは、ＤＭＲＳオーバーヘッドを適正なレベルに維持するために、シンボル期間当たりより少ない副搬送波上ではなく、時間においてより頻繁に（例えば、図５において示されているように各スロットの２個のシンボル期間中で）、ＤＭＲＳが送信されてもよい。例えば、時間においてより密なＤＭＲＳに対するＤＭＲＳオーバーヘッドは、各スロットの１個のシンボル期間中のすべてのＭ個の副搬送波上でＤＭＲＳが送信されるケースに対するＤＭＲＳオーバーヘッドと等しく維持されてもよく、または、各スロットの１個のシンボル期間中のすべてのＭ個の副搬送波上でＤＭＲＳが送信されるケースに対するＤＭＲＳオーバーヘッドよりも小さく維持されてもよい。各スロット中のＤＭＲＳが送信されるシンボル期間の数と等しいように、または、各スロット中のＤＭＲＳが送信されるシンボル期間の数よりも多いように、Ｓ個の間隔のパイロット副搬送波を選択することにより、これを達成してもよい。
【００６０】
図９は、１個以上の基準信号とデータを送信するためのプロセス９００の設計を示している。（以下で説明するように）ＵＥにより、または、他の何らかのエンティティにより、プロセス９００を実行してもよい。ＵＥは、データに対する１組の変調シンボル上でＤＦＴを実行して、データシンボルを取得してもよい（ブロック９１２）。ＵＥは、基準シンボルを取得してもよく、ベースシーケンスのサイクリックシフトに対応する基準信号シーケンスに基づいて、基準シンボルを発生させてもよい（ブロック９１４）。ＵＥは、基準シンボルを、シンボル期間中の第１の組の副搬送波にマッピングしてもよい（ブロック９１６）。ＵＥは、データシンボルを、シンボル期間中の第２の組の副搬送波にマッピングしてもよい（ブロック９１８）。ＵＥは、マッピングされた基準シンボルと、マッピングされたデータシンボルとに基づいて、送信シンボル（例えば、ＳＣ−ＦＤＭＡシンボル、ＯＦＤＭシンボル等）を発生させてもよい（ブロック９２０）。ＵＥは、ＵＥにおけるアンテナを通して、送信シンボルを送信してもよい（ブロック９２２）。
【００６１】
基準信号シーケンスは、Ｐの長さを有していてもよく、Ｐ個の基準シンボルを含んでいてもよく、ここで、Ｐは、第１の組の副搬送波中の副搬送波の数である。ベースシーケンスは、Ｚａｄｏｆｆ−Ｃｈｕシーケンスか、または、コンピュータ発生されたシーケンスか、または、良好な相関性質を有する他の何らかのシーケンスを含んでもよい。基準シンボルは、データシンボルを復調するために使用されるＤＭＲＳ、または、他の何らかの基準信号に対するものであってもよい。基準シンボルは、いったん発生されて、後の使用のために記憶されるか、または、必要に応じて、進行中に発生されてもよい。
【００６２】
１つの設計では、ＵＥは、Ｍ個の副搬送波の割り当てを受信してもよい。第１の組の副搬送波は、Ｍ個の副搬送波中のＳ個ごとの副搬送波のうちの１個の副搬送波を含んでいてもよく、ここで、ＭはＳよりも大きく、Ｓは１よりも大きい。Ｓは固定値か、または、構成可能な値であってもよい。第１の組の副搬送波は、Ｍ個の副搬送波中の等間隔の副搬送波を含んでいてもよい。第２の組の副搬送波は、Ｍ個の搬送波中の少なくとも１個の搬送波（例えば、すべての搬送波）を含んでいてもよいが、基準シンボルを送信するのに使用される搬送波は除外してもよい。
【００６３】
１つの設計では、例えば、図４、図５Ａ、または、図５Ｂにおいて示されているように、ＵＥは、複数のシンボル期間中で基準シンボルを送信してもよい。ＵＥは、第２の基準シンボルを、第２のシンボル期間中の第３の組の副搬送波にマッピングしてもよい。ＵＥは、第２のデータシンボルを、第２のシンボル期間中の第４の組の副搬送波にマッピングしてもよい。ＵＥは、マッピングされた第２の基準シンボルと、マッピングされた第２のデータシンボルとに基づいて、第２の送信シンボルを発生させてもよい。シンボル期間および第２のシンボル期間は、（例えば、図５Ａまたは図５Ｂにおいて示されているような）スロットの、あるいは、（例えば、図４において示されているような）サブフレームの、２個のシンボル期間に対応していてもよい。第１の組および第３の組は、同じ数の副搬送波を含んでいてもよい。１つの設計では、第３の組の副搬送波は、第１の組の副搬送波と同じであってもよい。別の設計では、（例えば、図４において示されているように）第３の組の副搬送波は、第１の組の副搬送波に関してずらされていてもよい。
【００６４】
１つの設計では、例えば、図６または図７において示されているように、ＵＥは、複数のアンテナから基準信号を送信してもよい。ＵＥは、第２の基準シンボルを、シンボル期間中の第３の組の副搬送波にマッピングしてもよい。ＵＥはまた、第２のデータシンボルを、シンボル期間中の第４の組の副搬送波にマッピングしてもよい。ＵＥは、マッピングされた第２の基準シンボルと、マッピングされた第２のデータシンボルとに基づいて、第２の送信シンボルを発生させてもよい。ＵＥは、同じシンボル期間中で、第２のアンテナを通して、第２の送信シンボルを送信してもよい。１つの設計では、（例えば、図６において示されているように）２本のアンテナに対する基準信号は、周波数分割多重化されてもよい。この設計では、第３の組の副搬送波は、第１の組の副搬送波中に含まれていない副搬送波を含んでいてもよい。別の設計では、（例えば、図７において示されているように）２本のアンテナに対する基準信号は、コード分割多重化されてもよい。この設計では、第２の基準シンボルは、ベースシーケンスの第２のサイクリックシフトに対応する第２の基準信号シーケンスに基づいて発生されてもよい。第１の組の副搬送波は、第３の組の副搬送波と同じであってもよい。１つの設計では、第２の組の副搬送波は、第４の組の副搬送波と同じであってもよく、第２の組および第４の組は、それぞれ、ＵＥに割り当てられたＭ個の副搬送波中の少なくとも１個の副搬送波（例えば、すべての副搬送波）を含んでいてもよいが、基準シンボルを送信するのに使用される副搬送波は除外してもよい。
【００６５】
一般に、ＵＥは、スロットまたはサブフレームの任意の数のシンボル期間中で、任意の数のアンテナから、基準信号を送信してもよい。ＵＥは、ＦＤＭ、ＣＤＭ等に基づいて、各シンボル期間中で、すべてのアンテナに対する基準信号を発生させてもよい。ＵＥは、すべてのシンボル期間に対して同じパイロット副搬送波を使用するか、または、異なるシンボル期間中の異なるパイロット副搬送波を使用してもよい。
【００６６】
図１０は、１個以上の基準信号およびデータを受信するためのプロセス１０００の設計を示している。（以下で説明されているような）基地局／ｅＮＢにより、または、他の何らかのエンティティにより、プロセス１０００を実行してもよい。基地局は、シンボル期間中に送信シンボル（例えば、ＳＣ−ＦＤＭＡシンボル、ＯＦＤＭシンボル等）を受信してもよく、送信シンボルは、第１の組の副搬送波にマッピングされた基準シンボルと、第２の組の副搬送波にマッピングされたデータシンボルとを含んでいる（ブロック１０１２）。基準シンボルは、ベースシーケンスのサイクリックシフトに対応する基準信号シーケンスに基づいて発生されてもよい。基地局は、受信された送信シンボルを処理して、第１の組の副搬送波からの受信された基準シンボルと、第２の組の副搬送波からの受信されたデータシンボルとを取得してもよい（ブロック１０１４）。基地局は、受信された基準シンボルを処理して、チャネル推定を取得してもよい（ブロック１０１６）。基地局は、チャネル推定に基づいて、受信されたデータシンボルを処理して、復調されたデータシンボルを取得してもよい（ブロック１０１８）。１つの設計では、データは、ＤＦＴプリコーディングにより送信されてもよい。このケースでは、基地局は、復調されたデータシンボル上でＩＤＦＴを実行して、受信された変調シンボルを取得してもよい（ブロック１０２０）。基地局は、受信された変調シンボルをさらに処理して、第２の組の副搬送波上で送信されたデータを復元してもよい（ブロック１０２２）。
【００６７】
基地局は、Ｍ個の副搬送波の割り当てをＵＥに送ってもよい。第１の組の副搬送波は、Ｍ個の副搬送波中のＳ個ごとの副搬送波のうちの１個の副搬送波を含んでいてもよく、ここで、ＭはＳよりも大きく、Ｓは１よりも大きい。第２の組の副搬送波は、Ｍ個の副搬送波中の少なくとも１個の副搬送波（すべての副搬送波）を含んでいてもよいが、基準シンボルを送信するのに使用される副搬送波は除外してもよい。
【００６８】
１つの設計では、複数のシンボル期間中で基準信号を送信してもよい。基地局は、第２のシンボル期間中に第２の送信シンボルを受信してもよく、第２の送信シンボルは、第３の組の副搬送波にマッピングされた第２の基準シンボルと、第４の組の副搬送波にマッピングされた第２のデータシンボルとを含んでいる。基地局は、受信された第２の送信シンボルを処理して、第３の組の副搬送波からの受信された第２の基準シンボルと、第４の組の副搬送波からの受信された第２のデータシンボルとを取得してもよい。基地局は、受信された第２の基準シンボルを処理して、第２のチャネル推定を取得してもよい。基地局は、その後、第２のチャネル推定に基づいて、受信された第２のデータシンボルを処理して、復調された第２のデータシンボルを取得してもよい。シンボル期間および第２のシンボル期間は、（例えば、図５Ａまたは図５Ｂにおいて示されているような）スロットの、あるいは、（例えば、図４において示されているような）サブフレームの、２個のシンボル期間に対応していてもよい。第３の組の副搬送波は、（ｉ）第１の組の副搬送波と同じか、または、（ｉｉ）第１の組の副搬送波に関してずらされていてもよい。
【００６９】
別の設計では、ＵＥにおける複数のアンテナから基準信号を送信してもよい。基地局は、同じシンボル期間中に第２の送信シンボルを受信してもよく、第２の送信シンボルは、第３の組の副搬送波にマッピングされた第２の基準シンボルと、第４の組の副搬送波にマッピングされた第２のデータシンボルとを含んでいる。ＵＥにおいて、第１のアンテナを通して送信シンボルを送ってもよく、第２のアンテナを通して第２の送信シンボルを送ってもよい。基地局は、受信された第２の送信シンボルを処理して、第３の組の副搬送波からの受信された第２の基準シンボルと、第４の組の副搬送波からの受信された第２のデータシンボルとを取得してもよい。基地局は、受信された第２の基準シンボルを処理して、第２のアンテナに対する第２のチャネル推定を取得してもよい。基地局は、その後、チャネル推定に基づいて、すべての受信されたデータシンボルを処理して、すべてのアンテナに対する復調されたデータシンボルを取得してもよい。
【００７０】
１つの設計では、ＵＥにおける２本のアンテナに対する基準信号は、周波数分割多重化されてもよい。この設計では、第３の組の副搬送波は、第１の組の副搬送波中に含まれていない副搬送波を含んでいてもよい。別の設計では、ＵＥにおける２本のアンテナに対する基準信号は、コード分割多重化されてもよい。この設計では、ベースシーケンスの第２のサイクリックシフトに対応する第２の基準信号シーケンスに基づいて、第２の基準シンボルを発生させてもよい。第３の組の副搬送波は、第１の組の副搬送波と同じであってもよい。
【００７１】
一般に、スロットまたはサブフレームの任意の数のシンボル期間中で、ＵＥにおける任意の数のアンテナから、基準信号を送信してもよい。基地局は、そのアンテナを通して送信された基準シンボルに基づいて、各アンテナに対するチャネル推定を導出してもよい。基地局は、各アンテナ用の受信されたデータシンボルに対するデータ復調を別々に実行してもよく、または、すべてのアンテナに対するデータ復調／ＭＩＭＯ検出を合同で実行してもよい。
【００７２】
図１１は、基地局／ｅＮＢ１１０およびＵＥ１２０の設計のブロックダイヤグラムを示しており、基地局／ｅＮＢ１１０およびＵＥ１２０は、図１中のｅＮＢのうちの１つと、図１中のＵＥのうちの１つであってもよい。ＵＥ１２０には、Ｔ本のアンテナ１１３４ａないし１１３４ｔが装備されていてもよく、ｅＮＢ１１０には、Ｒ本のアンテナ１１５２ａないし１１５２ｒが装備されていてもよく、ここで、一般に、Ｔ≧１かつＲ≧１である。
【００７３】
ＵＥ１２０において、送信プロセッサ１１２０は、データソース１１１２からトラフィックデータを受け取り、１つ以上の変調およびコーディングスキームに基づいて、トラフィックデータを処理して（例えば、エンコードして、インターリーブして、および、変調して）、トラフィックデータに対する変調シンボルを提供してもよい。送信プロセッサ１１２０はまた、制御装置／プロセッサ１１４０からの制御データを処理して、制御データに対する変調シンボルを提供してもよい。送信プロセッサ１１２０はまた、ＤＭＲＳや、ＳＲＳや、および／または、他の基準信号に対する基準シンボルを提供してもよい。送信（ＴＸ）ＭＩＭＯプロセッサ１１３０は、適用可能な場合には、送信プロセッサ１１２０からのシンボル上で、空間処理（例えば、プリコーディング）を実行してもよく、Ｔ台の変調器（ＭＯＤ）１１３２ａないし１１３２ｔにＴ個の出力シンボルストリームを提供してもよい。各変調器１１３２は、（適用可能な場合には）データに対するＤＦＴプリコーディングを実行し、データシンボルをデータ副搬送波にマッピングし、基準シンボルをパイロット副搬送波にマッピングし、ゼロのシンボルを、送信のために使用されていない残りの副搬送波にマッピングしてもよい。各変調器１１３２は、（例えば、ＳＣ−ＦＤＭＡ、ＯＦＤＭ等のために）マッピングされたシンボルをさらに処理して、出力サンプルストリームを取得してもよい。各変調器１１３２は、出力サンプルストリームをさらに処理して（例えば、アナログにコンバートして、増幅して、フィルタリングして、および、アップコンバートして）、アップリンク信号を取得してもよい。変調器１１３２ａないし１１３２ｔからのＴ個のアップリンク信号は、Ｔ本のアンテナ１１３４ａないし１１３４ｔを通して、それぞれ送信してもよい。
【００７４】
ｅＮＢ１１０において、アンテナ１１５２ａないし１１５２ｒは、ＵＥ１２０からアップリンク信号を受信してもよく、復調器（ＤＥＭＯＤ）１１５４ａないし１１５４ｒに、それぞれ、受信した信号を提供してもよい。各復調器１１５４は、それぞれの受信した信号を調整して（例えば、フィルタリングして、増幅して、ダウンコンバートして、および、デジタル化して）、受信したサンプルを取得してもよい。各復調器１１５４は、受信したサンプルをさらに処理して、総数Ｋ個の副搬送波に対する受信したシンボルを取得してもよい。各復調器１１５４は、受信した基準シンボルをチャネルプロセッサ１１８４に提供し、受信したデータシンボルをＭＩＭＯ検出器１１５６に提供してもよい。チャネルプロセッサ１１８４は、ＵＥ１２０における各アンテナを通して送信された基準シンボルに基づいて、そのアンテナに対するチャネル推定を導出してもよい。ＭＩＭＯ検出器１１５６は、（適用可能である場合には）ＵＥ１２０におけるすべてのＴ本のアンテナに対するチャネル推定に基づいて、受信したデータシンボル上でデータ復調／ＭＩＭＯ検出を実行してもよく、復調したデータシンボルを提供してもよい。受信プロセッサ１１５８は、復調したシンボルを処理して（例えば、シンボルデマッピングして、デインターリーブして、および、デコードして）、デコードしたトラフィックデータをデータシンク１１６０に提供し、制御装置／プロセッサ１１８０に、デコードした制御データを提供してもよい。
【００７５】
ダウンリンク上では、ｅＮＢ１１０において、データソース１１６２からのトラフィックデータと、制御装置／プロセッサ１１８０からの制御データ（例えば、リソース／副搬送波割り当て）とを、送信プロセッサ１１６４により処理してもよく、適用可能な場合には、ＴＸ ＭＩＭＯプロセッサ１１６６によりプリコーディングしてもよく、変調器１１５４ａないし変調器１１５４ｒにより処理してもよく、アンテナ１１５２ａないし１１５２ｒを通してＵＥ１２０に送信してもよい。ＵＥ１２０において、ｅＮＢ１１０からのダウンリンク信号を、アンテナ１１３４により受信し、復調器１１３２により調整し、適用可能である場合には、ＭＩＭＯ検出器１１３６により処理し、受信プロセッサ１１３８によりさらに処理して、ＵＥ１２０に送られたトラフィックデータおよび制御データを取得してもよい。
【００７６】
制御装置／プロセッサ１１４０および１１８０は、ＵＥ１２０における動作とｅＮＢ１１０における動作をそれぞれ命令してもよい。プロセッサ１１２０、変調器１１３２、プロセッサ１１４０、および／または、ＵＥ１２０における他のプロセッサおよびモジュールは、図９中のプロセス９００や、および／または、ここで説明する技術に対する他のプロセスを実行または命令してもよい。プロセッサ１１２０、変調器１１３２、ならびに／あるいは、ＵＥ１２０における他のプロセッサおよびモジュールは、図３中のモジュール３００や、図６中のモジュール６００や、または、図７中のモジュール７００を実現してもよい。復調器１１５４、ＭＩＭＯ検出器１１５６、プロセッサ１１５８、プロセッサ１１８０、プロセッサ１１８４、ならびに／あるいは、ｅＮＢ１１０における他のプロセッサおよびモジュールは、図１０中のプロセス１０００や、および／または、ここで説明する技術に対する他のプロセスを実行または命令してもよい。復調器１１５４、チャネルプロセッサ１１８４、ＭＩＭＯ検出器１１５６、および／または、基地局１１０における他のプロセッサおよびモジュールは、図８中のモジュール８００を実現してもよい。メモリ１１４２およびメモリ１１８２は、ＵＥ１２０に対するデータおよびプログラムコードと、ｅＮＢ１１０に対するデータおよびプログラムコードをそれぞれ記憶してもよい。スケジューラ１１８６は、ダウンリンク送信／またはアップリンク送信のためにＵＥをスケジュールしてもよく、スケジューリングされたＵＥに対してリソース（例えば、副搬送波、サイクリックシフト等）の割り振りを提供してもよい。
【００７７】
１つのコンフィギュレーションでは、ワイヤレス通信のための装置１２０は、データに対する１組の変調シンボル上でＤＦＴを実行して、データシンボルを取得する手段と、ベースシーケンスのサイクリックシフトに対応する基準信号シーケンスに基づいて発生された基準シンボルを取得する手段と、基準シンボルをシンボル期間中の第１の組の副搬送波にマッピングする手段と、データシンボルをシンボル期間中の第２の組の副搬送波にマッピングする手段と、マッピングされた基準シンボルと、マッピングされたデータシンボルとに基づいて送信シンボルを発生させる手段と、アンテナを通して送信シンボルを送信する手段とを備えていてもよい。
【００７８】
別のコンフィギュレーションでは、ワイヤレス通信のための装置１１０は、シンボル期間中に送信シンボルを受信し、送信シンボルは、第１の組の副搬送波にマッピングされた基準シンボルと、第２の組の副搬送波にマッピングされたデータシンボルとを含み、基準シンボルは、ベースシーケンスのサイクリックシフトに対応する基準信号シーケンスに基づいて発生されている手段と、受信された送信シンボルを処理して、第１の組の副搬送波からの受信された基準シンボルと、第２の組の副搬送波からの受信されたデータシンボルとを取得する手段と、受信された基準シンボルを処理してチャネル推定を取得する手段と、チャネル推定に基づいて、受信されたデータシンボルを処理して、復調されたデータシンボルを取得する手段と、復調されたデータシンボル上でＩＤＦＴを実行して、受信された変調シンボルを取得する手段と、受信された変調シンボルを処理して、第２の組の副搬送波上で送信されたデータを復元する手段とを備えていてもよい。
【００７９】
ある態様では、先述の手段は、ＵＥ１２０における、プロセッサ１１２０、変調器１１３２、および／または、プロセッサ１１４０であってもよく、ならびに／あるいは、基地局１１０における、復調器１１５４、検出器１１５６、プロセッサ１１５８、プロセッサ１１８０、および／または、プロセッサ１１８４であってもよく、これらは、先述の手段により述べられた機能を実行するように構成されていてもよい。別の態様では、先述の手段は、先述の手段により述べられた機能を実行するように構成されている１つ以上のモジュールまたは何らかの装置であってもよい。
【００８０】
当業者は、さまざまな異なる技術および技法のうちのいずれかを使用して情報および信号を表してもよいことを理解するだろう。例えば、上記の説明全体を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００８１】
ここでの開示に関連して説明した、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアのこの交換可能性を明確に示すために、さまざまな例示的なコンポーネント、ブロック、モジュール、回路およびステップを一般的にこれらの機能性に関して上記で説明した。このような機能性がハードウェアまたはソフトウェアとして実現されるか否かは、特定の応用および全体的なシステムに課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００８２】
ここでの開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラムマブル論理デバイス、ディスクリートゲートまたはトランジスタ論理、ディスクリートハードウェアコンポーネント、あるいは、ここで説明した機能を実行するために設計されたこれらの組み合わせで、実現するか、あるいは、実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【００８３】
ここでの開示に関連して説明した方法またはアルゴリズムのステップは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在してもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００８４】
１つ以上の例示的な設計において、説明した機能は、ハードウェアで、ソフトウェアで、ファームウェアで、または、これらのものを組み合わせた任意のもので実現してもよい。ソフトウェアで実現する場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、汎用コンピュータにより、または、特殊目的コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは、汎用コンピュータまたは特殊目的コンピュータにより、あるいは、汎用プロセッサまたは特殊目的プロセッサによりアクセスでき、命令またはデータ構造の形態で所望のプログラムコード手段を運ぶまたは記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００８５】
開示のこれまでの説明は、当業者が本開示を製作または使用できるように提供した。開示に対するさまざま改良は当業者に容易に明らかとなり、ここに定義された一般的な原理は、本開示の精神または範囲を逸脱することなく、他のバリエーションに適用してもよい。したがって、本開示は、ここで説明した例および設計に限定されることを意図しているものではなく、ここで開示した原理および新規の特徴と一致した最も広い範囲に一致させるべきである。
【図１】
2013509830.tif 000005
【図２】
2013509830.tif 000006
【図３】
2013509830.tif 000007
【図４】
2013509830.tif 000008
【図５Ａ】
2013509830.tif 000009
【図５Ｂ】
2013509830.tif 000010
【図６】
2013509830.tif 000011
【図７】
2013509830.tif 000012
【図８】
2013509830.tif 000013
【図９】
2013509830.tif 000014
【図１０】
2013509830.tif 000015
【図１１】
2013509830.tif 000016
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
ベースシーケンスのサイクリックシフトに対応する基準信号シーケンスに基づいて発生された基準シンボルを取得することと、
前記基準シンボルを、シンボル期間中の第１の組の副搬送波にマッピングすることと、
データシンボルを、前記シンボル期間中の第２の組の副搬送波にマッピングすることと、
前記マッピングされた基準シンボルと、前記マッピングされたデータシンボルとに基づいて、送信シンボルを発生させることとを含む方法。
【請求項２】
データに対する１組の変調シンボル上で離散フーリエ変換（ＤＦＴ）を実行して、前記第２の組の副搬送波に対する前記データシンボルを取得することをさらに含む請求項１記載の方法。
【請求項３】
Ｍ個の副搬送波の割り当てを受信することをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい請求項１記載の方法。
【請求項４】
前記第２の組の副搬送波は、前記Ｍ個の副搬送波中の少なくとも１個の副搬送波を含み、基準シンボルを送信するのに使用される副搬送波は除外している請求項３記載の方法。
【請求項５】
第２の基準シンボルを、第２のシンボル期間中の第３の組の副搬送波にマッピングすることと、
第２のデータシンボルを、前記第２のシンボル期間中の第４の組の副搬送波にマッピングすることと、
前記マッピングされた第２の基準シンボルと、前記マッピングされた第２のデータシンボルとに基づいて、第２の送信シンボルを発生させることとをさらに含む請求項１記載の方法。
【請求項６】
前記シンボル期間および前記第２のシンボル期間は、スロットの２つのシンボル期間に対応する請求項５記載の方法。
【請求項７】
前記第３の組の副搬送波は、前記第１の組の副搬送波に関してずらされている請求項５記載の方法。
【請求項８】
第２の基準シンボルを、前記シンボル期間中の第３の組の副搬送波にマッピングすることと、
第２のデータシンボルを、前記シンボル期間中の第４の組の副搬送波にマッピングすることと、
前記マッピングされた第２の基準シンボルと、前記マッピングされた第２のデータシンボルとに基づいて、第２の送信シンボルを発生させることと、
第１のアンテナを通して前記送信シンボルを送信することと、
第２のアンテナを通して前記第２の送信シンボルを送信することとをさらに含む請求項１記載の方法。
【請求項９】
前記第１および前記第２のアンテナに対する基準信号は、周波数分割多重化され、前記第３の組の副搬送波は、前記第１の組の副搬送波中に含まれていない副搬送波を含んでいる請求項８記載の方法。
【請求項１０】
前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい請求項８記載の方法。
【請求項１１】
Ｍ個の副搬送波の割り当てを受信することをさらに含み、前記第２の組の副搬送波は、前記第４の組の副搬送波に等しく、前記第２および前記第４の組の副搬送波は、それぞれ、前記Ｍ個の副搬送波中の少なくとも１個の副搬送波を含み、基準シンボルを送信するのに使用される副搬送波は除外している請求項８記載の方法。
【請求項１２】
前記基準シンボルは、前記データシンボルを復調するのに使用される復調基準信号（ＤＭＲＳ）に対するものである請求項１記載の方法。
【請求項１３】
前記基準信号シーケンスは、Ｐの長さを有し、Ｐ個の基準シンボルを含み、ここで、Ｐは、前記第１の組の副搬送波中の副搬送波の数である請求項１記載の方法。
【請求項１４】
前記ベースシーケンスは、Ｚａｄｏｆｆ−Ｃｈｕシーケンスまたはコンピュータ発生されたシーケンスを含む請求項１記載の方法。
【請求項１５】
ワイヤレス通信のための装置において、
ベースシーケンスのサイクリックシフトに対応する基準信号シーケンスに基づいて発生された基準シンボルを取得する手段と、
前記基準シンボルを、シンボル期間中の第１の組の副搬送波にマッピングする手段と、
データシンボルを、前記シンボル期間中の第２の組の副搬送波にマッピングする手段と、
前記マッピングされた基準シンボルと、前記マッピングされたデータシンボルとに基づいて、送信シンボルを発生させる手段とを具備する装置。
【請求項１６】
データに対する１組の変調シンボル上で離散フーリエ変換（ＤＦＴ）を実行して、前記第２の組の副搬送波に対する前記データシンボルを取得する手段をさらに具備する請求項１５記載の装置。
【請求項１７】
第２の基準シンボルを、第２のシンボル期間中の第３の組の副搬送波にマッピングする手段と、
第２のデータシンボルを、前記第２のシンボル期間中の第４の組の副搬送波にマッピングする手段と、
前記マッピングされた第２の基準シンボルと、前記マッピングされた第２のデータシンボルとに基づいて、第２の送信シンボルを発生させる手段とをさらに具備し、
前記シンボル期間および前記第２のシンボル期間は、スロットの２つのシンボル期間に対応している請求項１５記載の装置。
【請求項１８】
第２の基準シンボルを、前記シンボル期間中の第３の組の副搬送波にマッピングする手段と、
第２のデータシンボルを、前記シンボル期間中の第４の組の副搬送波にマッピングする手段と、
前記マッピングされた第２の基準シンボルと、前記マッピングされた第２のデータシンボルとに基づいて、第２の送信シンボルを発生させる手段と、
第１のアンテナを通して前記送信シンボルを送信する手段と、
第２のアンテナを通して前記第２の送信シンボルを送信する手段とをさらに具備する請求項１５記載の装置。
【請求項１９】
前記第１および前記第２のアンテナに対する基準信号は、周波数分割多重化され、前記第３の組の副搬送波は、前記第１の組の副搬送波中に含まれていない副搬送波を含んでいる請求項１８記載の装置。
【請求項２０】
前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい請求項１８記載の装置。
【請求項２１】
ワイヤレス通信のための装置において、
ベースシーケンスのサイクリックシフトに対応する基準信号シーケンスに基づいて発生された基準シンボルを取得するようにと、
前記基準シンボルを、シンボル期間中の第１の組の副搬送波にマッピングするようにと、
データシンボルを、前記シンボル期間中の第２の組の副搬送波にマッピングするようにと、
前記マッピングされた基準シンボルと、前記マッピングされたデータシンボルとに基づいて、送信シンボルを発生させるように構成されている少なくとも１つのプロセッサを具備する装置。
【請求項２２】
コンピュータ読取可能記憶媒体において、
少なくとも１つのプロセッサに、ベースシーケンスのサイクリックシフトに対応する基準信号シーケンスに基づいて発生された基準シンボルを取得させるためのコードと、
前記少なくとも１つのプロセッサに、前記基準シンボルを、シンボル期間中の第１の組の副搬送波にマッピングさせるためのコードと、
前記少なくとも１つのプロセッサに、データシンボルを、前記シンボル期間中の第２の組の副搬送波にマッピングさせるためのコードと、
前記少なくとも１つのプロセッサに、前記マッピングされた基準シンボルと、前記マッピングされたデータシンボルとに基づいて、送信シンボルを発生させるためのコードと
を含むコンピュータ読取可能記憶媒体。
【請求項２３】
ワイヤレス通信のための方法において、
第１の組の副搬送波にマッピングされた基準シンボルと、第２の組の副搬送波にマッピングされたデータシンボルとを含む送信シンボルを、シンボル期間中に受信することと、
前記受信された送信シンボルを処理して、前記第１の組の副搬送波からの受信された基準シンボルと、前記第２の組の副搬送波からの受信されたデータシンボルとを取得することと、
前記受信された基準シンボルを処理して、チャネル推定を取得することと、
前記チャネル推定に基づいて、前記受信されたデータシンボルを処理して、復調されたデータシンボルを取得することとを含み、
前記基準シンボルは、ベースシーケンスのサイクリックシフトに対応する基準信号シーケンスに基づいて発生されている方法。
【請求項２４】
前記復調されたデータシンボル上で逆離散フーリエ変換（ＩＤＦＴ）を実行して、受信された変調シンボルを取得することと、
前記受信された変調シンボルを処理して、前記第２の組の副搬送波上で送信されたデータを復元することとをさらに含む請求項２３記載の方法。
【請求項２５】
Ｍ個の副搬送波の割り当てをユーザ機器（ＵＥ）に送ることをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい請求項２３記載の方法。
【請求項２６】
前記第２の組の副搬送波は、前記Ｍ個の副搬送波中の少なくとも１個の副搬送波を含み、基準シンボルを送信するのに使用される副搬送波は除外している請求項２５記載の方法。
【請求項２７】
第３の組の副搬送波にマッピングされた第２の基準シンボルと、第４の組の副搬送波にマッピングされた第２のデータシンボルとを含む第２の送信シンボルを、第２のシンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記第２のチャネル推定に基づいて、前記受信された第２のデータシンボルを処理して、復調された第２のデータシンボルを取得することとをさらに含む請求項２３記載の方法。
【請求項２８】
前記シンボル期間と前記第２のシンボル期間は、スロットの２つのシンボル期間に対応する請求項２７記載の方法。
【請求項２９】
前記第３の組の副搬送波は、前記第１の組の副搬送波に関してずらされている請求項２７記載の方法。
【請求項３０】
第３の組の副搬送波にマッピングされた第２の基準シンボルと、第４の組の副搬送波にマッピングされた第２のデータシンボルとを含む前記第２の送信シンボルを、前記シンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得することとをさらに含み、
ユーザ機器（ＵＥ）において、前記送信シンボルは、第１のアンテナを通して送信され、前記第２の送信シンボルは、第２のアンテナを通して送信される請求項２３記載の方法。
【請求項３１】
前記ＵＥにおける前記第１のおよび前記第２のアンテナに対する基準信号は、周波数分割多重化され、前記第３の組の副搬送波は、前記第１の組の副搬送波中に含まれていない副搬送波を含む請求項３０記載の方法。
【請求項３２】
前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい請求項３０記載の方法。
【請求項３３】
ワイヤレス通信のための装置において、
第１の組の副搬送波にマッピングされた基準シンボルと、第２の組の副搬送波にマッピングされたデータシンボルとを含む送信シンボルを、シンボル期間中に受信する手段と、
前記受信された送信シンボルを処理して、前記第１の組の副搬送波からの受信された基準シンボルと、前記第２の組の副搬送波からの受信されたデータシンボルとを取得する手段と、
前記受信された基準シンボルを処理して、チャネル推定を取得する手段と、
前記チャネル推定に基づいて、前記受信されたデータシンボルを処理して、復調されたデータシンボルを取得する手段とを具備し、
前記基準シンボルは、ベースシーケンスのサイクリックシフトに対応する基準信号シーケンスに基づいて発生されている装置。
【請求項３４】
前記復調されたデータシンボル上で逆離散フーリエ変換（ＩＤＦＴ）を実行して、受信された変調シンボルを取得する手段と、
前記受信された変調シンボルを処理して、前記第２の組の副搬送波上で送信されたデータを復元する手段とをさらに具備する請求項３３記載の装置。
【請求項３５】
第３の組の副搬送波にマッピングされた第２の基準シンボルと、第４の組の副搬送波にマッピングされた第２のデータシンボルとを含む第２の送信シンボルを、第２のシンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記第２のチャネル推定に基づいて、前記受信された第２のデータシンボルを処理して、復調された第２のデータシンボルを取得する手段とをさらに具備する請求項３３記載の装置。
【請求項３６】
第３の組の副搬送波にマッピングされた第２の基準シンボルと、第４の組の副搬送波にマッピングされた第２のデータシンボルとを含む第２の送信シンボルを、前記シンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得する手段とをさらに具備し、
前記送信シンボルは、第１のアンテナを通して送信され、前記第２の送信シンボルは、ユーザ機器（ＵＥ）における第２のアンテナを通して送信される請求項３３記載の装置。
【請求項３７】
前記ＵＥにおける前記第１のおよび前記第２のアンテナに対する基準信号は、周波数分割多重化され、前記第３の組の副搬送波は、前記第１の組の副搬送波中に含まれていない副搬送波を含む請求項３６記載の装置。
【請求項３８】
前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい請求項３６記載の装置。
【請求項３９】
ワイヤレス通信のための装置において、
第１の組の副搬送波にマッピングされた基準シンボルと、第２の組の副搬送波にマッピングされたデータシンボルとを含む送信シンボルを、シンボル期間中に受信するようにと、
前記受信された送信シンボルを処理して、前記第１の組の副搬送波からの受信された基準シンボルと、前記第２の組の副搬送波からの受信されたデータシンボルとを取得するようにと、
前記受信された基準シンボルを処理して、チャネル推定を取得するようにと、
前記チャネル推定に基づいて、前記受信されたデータシンボルを処理して、復調されたデータシンボルを取得するように構成されている少なくとも１つのプロセッサを具備し、
前記基準シンボルは、ベースシーケンスのサイクリックシフトに対応する基準信号シーケンスに基づいて発生されている装置。
【請求項４０】
コンピュータ読取可能記憶媒体において、
少なくとも１つのプロセッサに、第１の組の副搬送波にマッピングされた基準シンボルと、第２の組の副搬送波にマッピングされたデータシンボルとを含む送信シンボルを、シンボル期間中に受信させるためのコードと、
前記少なくとも１つのプロセッサに、前記受信された送信シンボルを処理させて、前記第１の組の副搬送波からの受信された基準シンボルと、前記第２の組の副搬送波からの受信されたデータシンボルとを取得するためのコードと、
前記少なくとも１つのプロセッサに、前記受信された基準シンボルを処理させて、チャネル推定を取得するためのコードと、
前記少なくとも１つのプロセッサに、前記チャネル推定に基づいて、前記受信されたデータシンボルを処理させて、復調されたデータシンボルを取得するためのコードと
を含み、
前記基準シンボルは、ベースシーケンスのサイクリックシフトに対応する基準信号シーケンスに基づいて発生されているコンピュータ読取可能記憶媒体。
【手続補正２】
【補正対象書類名】明細書
【補正対象項目名】００８５
【補正方法】変更
【補正の内容】
【００８５】
開示のこれまでの説明は、当業者が本開示を製作または使用できるように提供した。開示に対するさまざま改良は当業者に容易に明らかとなり、ここに定義された一般的な原理は、本開示の精神または範囲を逸脱することなく、他のバリエーションに適用してもよい。したがって、本開示は、ここで説明した例および設計に限定されることを意図しているものではなく、ここで開示した原理および新規の特徴と一致した最も広い範囲に一致させるべきである。  
以下に、本願出願の当初の特許請求の範囲に記載された発明を付記する。
［１］ワイヤレス通信のための方法において、
ベースシーケンスのサイクリックシフトに対応する基準信号シーケンスに基づいて発生された基準シンボルを取得することと、
前記基準シンボルを、シンボル期間中の第１の組の副搬送波にマッピングすることと、
データシンボルを、前記シンボル期間中の第２の組の副搬送波にマッピングすることと、
前記マッピングされた基準シンボルと、前記マッピングされたデータシンボルとに基づいて、送信シンボルを発生させることとを含む方法。
［２］データに対する１組の変調シンボル上で離散フーリエ変換（ＤＦＴ）を実行して、前記第２の組の副搬送波に対する前記データシンボルを取得することをさらに含む［１］の方法。
［３］Ｍ個の副搬送波の割り当てを受信することをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい［１］の方法。
［４］前記第２の組の副搬送波は、前記Ｍ個の副搬送波中の少なくとも１個の副搬送波を含み、基準シンボルを送信するのに使用される副搬送波は除外している［３］の方法。
［５］第２の基準シンボルを、第２のシンボル期間中の第３の組の副搬送波にマッピングすることと、
第２のデータシンボルを、前記第２のシンボル期間中の第４の組の副搬送波にマッピングすることと、
前記マッピングされた第２の基準シンボルと、前記マッピングされた第２のデータシンボルとに基づいて、第２の送信シンボルを発生させることとをさらに含む［１］の方法。
［６］前記シンボル期間および前記第２のシンボル期間は、スロットの２つのシンボル期間に対応する［５］の方法。
［７］前記第３の組の副搬送波は、前記第１の組の副搬送波に関してずらされている［５］の方法。
［８］第２の基準シンボルを、前記シンボル期間中の第３の組の副搬送波にマッピングすることと、
第２のデータシンボルを、前記シンボル期間中の第４の組の副搬送波にマッピングすることと、
前記マッピングされた第２の基準シンボルと、前記マッピングされた第２のデータシンボルとに基づいて、第２の送信シンボルを発生させることと、
第１のアンテナを通して前記送信シンボルを送信することと、
第２のアンテナを通して前記第２の送信シンボルを送信することとをさらに含む［１］の方法。
［９］前記第１および前記第２のアンテナに対する基準信号は、周波数分割多重化され、前記第３の組の副搬送波は、前記第１の組の副搬送波中に含まれていない副搬送波を含んでいる［８］の方法。
［１０］前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい［８］の方法。
［１１］Ｍ個の副搬送波の割り当てを受信することをさらに含み、前記第２の組の副搬送波は、前記第４の組の副搬送波に等しく、前記第２および前記第４の組の副搬送波は、それぞれ、前記Ｍ個の副搬送波中の少なくとも１個の副搬送波を含み、基準シンボルを送信するのに使用される副搬送波は除外している［８］の方法。
［１２］前記基準シンボルは、前記データシンボルを復調するのに使用される復調基準信号（ＤＭＲＳ）に対するものである［１］の方法。
［１３］前記基準信号シーケンスは、Ｐの長さを有し、Ｐ個の基準シンボルを含み、ここで、Ｐは、前記第１の組の副搬送波中の副搬送波の数である［１］の方法。
［１４］前記ベースシーケンスは、Ｚａｄｏｆｆ−Ｃｈｕシーケンスまたはコンピュータ発生されたシーケンスを含む［１］の方法。
［１５］ワイヤレス通信のための装置において、
ベースシーケンスのサイクリックシフトに対応する基準信号シーケンスに基づいて発生された基準シンボルを取得する手段と、
前記基準シンボルを、シンボル期間中の第１の組の副搬送波にマッピングする手段と、
データシンボルを、前記シンボル期間中の第２の組の副搬送波にマッピングする手段と、
前記マッピングされた基準シンボルと、前記マッピングされたデータシンボルとに基づいて、送信シンボルを発生させる手段とを具備する装置。
［１６］データに対する１組の変調シンボル上で離散フーリエ変換（ＤＦＴ）を実行して、前記第２の組の副搬送波に対する前記データシンボルを取得する手段をさらに具備する［１５］の装置。
［１７］第２の基準シンボルを、第２のシンボル期間中の第３の組の副搬送波にマッピングする手段と、
第２のデータシンボルを、前記第２のシンボル期間中の第４の組の副搬送波にマッピングする手段と、
前記マッピングされた第２の基準シンボルと、前記マッピングされた第２のデータシンボルとに基づいて、第２の送信シンボルを発生させる手段とをさらに具備し、
前記シンボル期間および前記第２のシンボル期間は、スロットの２つのシンボル期間に対応している［１５］の装置。
［１８］第２の基準シンボルを、前記シンボル期間中の第３の組の副搬送波にマッピングする手段と、
第２のデータシンボルを、前記シンボル期間中の第４の組の副搬送波にマッピングする手段と、
前記マッピングされた第２の基準シンボルと、前記マッピングされた第２のデータシンボルとに基づいて、第２の送信シンボルを発生させる手段と、
第１のアンテナを通して前記送信シンボルを送信する手段と、
第２のアンテナを通して前記第２の送信シンボルを送信する手段とをさらに具備する［１５］の装置。
［１９］前記第１および前記第２のアンテナに対する基準信号は、周波数分割多重化され、前記第３の組の副搬送波は、前記第１の組の副搬送波中に含まれていない副搬送波を含んでいる［１８］の装置。
［２０］前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第１の組の副搬送波は、前記第３の組の副搬送波に等しい［１８］の装置。
［２１］ワイヤレス通信のための装置において、
ベースシーケンスのサイクリックシフトに対応する基準信号シーケンスに基づいて発生された基準シンボルを取得するようにと、
前記基準シンボルを、シンボル期間中の第１の組の副搬送波にマッピングするようにと、
データシンボルを、前記シンボル期間中の第２の組の副搬送波にマッピングするようにと、
前記マッピングされた基準シンボルと、前記マッピングされたデータシンボルとに基づいて、送信シンボルを発生させるように構成されている少なくとも１つのプロセッサを具備する装置。
［２２］一時的なコンピュータ読取可能媒体を具備するコンピュータプログラムプロダクトにおいて、
前記一時的なコンピュータ読取可能媒体は、
少なくとも１つのプロセッサに、ベースシーケンスのサイクリックシフトに対応する基準信号シーケンスに基づいて発生された基準シンボルを取得させるためのコードと、
前記少なくとも１つのプロセッサに、前記基準シンボルを、シンボル期間中の第１の組の副搬送波にマッピングさせるためのコードと、
前記少なくとも１つのプロセッサに、データシンボルを、前記シンボル期間中の第２の組の副搬送波にマッピングさせるためのコードと、
前記少なくとも１つのプロセッサに、前記マッピングされた基準シンボルと、前記マッピングされたデータシンボルとに基づいて、送信シンボルを発生させるためのコードとを含むコンピュータプログラムプロダクト。
［２３］ワイヤレス通信のための方法において、
第１の組の副搬送波にマッピングされた基準シンボルと、第２の組の副搬送波にマッピングされたデータシンボルとを含む送信シンボルを、シンボル期間中に受信することと、
前記受信された送信シンボルを処理して、前記第１の組の副搬送波からの受信された基準シンボルと、前記第２の組の副搬送波からの受信されたデータシンボルとを取得することと、
前記受信された基準シンボルを処理して、チャネル推定を取得することと、
前記チャネル推定に基づいて、前記受信されたデータシンボルを処理して、復調されたデータシンボルを取得することとを含み、
前記基準シンボルは、ベースシーケンスのサイクリックシフトに対応する基準信号シーケンスに基づいて発生されている方法。
［２４］前記復調されたデータシンボル上で逆離散フーリエ変換（ＩＤＦＴ）を実行して、受信された変調シンボルを取得することと、
前記受信された変調シンボルを処理して、前記第２の組の副搬送波上で送信されたデータを復元することとをさらに含む［２３］の方法。
［２５］Ｍ個の副搬送波の割り当てをユーザ機器（ＵＥ）に送ることをさらに含み、前記第１の組の副搬送波は、前記Ｍ個の副搬送波中のＳ個ごとの副搬送波のうちの１個の副搬送波を含み、ここで、ＭはＳよりも大きく、Ｓは１よりも大きい［２３］の方法。
［２６］前記第２の組の副搬送波は、前記Ｍ個の副搬送波中の少なくとも１個の副搬送波を含み、基準シンボルを送信するのに使用される副搬送波は除外している［２５］の方法。
［２７］第３の組の副搬送波にマッピングされた第２の基準シンボルと、第４の組の副搬送波にマッピングされた第２のデータシンボルとを含む第２の送信シンボルを、第２のシンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記第２のチャネル推定に基づいて、前記受信された第２のデータシンボルを処理して、復調された第２のデータシンボルを取得することとをさらに含む［２３］の方法。
［２８］前記シンボル期間と前記第２のシンボル期間は、スロットの２つのシンボル期間に対応する［２７］の方法。
［２９］前記第３の組の副搬送波は、前記第１の組の副搬送波に関してずらされている［２７］の方法。
［３０］第３の組の副搬送波にマッピングされた第２の基準シンボルと、第４の組の副搬送波にマッピングされた第２のデータシンボルとを含む前記第２の送信シンボルを、前記シンボル期間中に受信することと、
前記受信された第２の送信シンボルを処理して、前記第３の組の副搬送波からの受信された第２の基準シンボルと、前記第４の組の副搬送波からの受信された第２のデータシンボルとを取得することと、
前記受信された第２の基準シンボルを処理して、第２のチャネル推定を取得することと、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得することとをさらに含み、
ユーザ機器（ＵＥ）において、前記送信シンボルは、第１のアンテナを通して送信され、前記第２の送信シンボルは、第２のアンテナを通して送信される［２３］の方法。
［３１］前記ＵＥにおける前記第１のおよび前記第２のアンテナに対する基準信号は、周波数分割多重化され、前記第３の組の副搬送波は、前記第１の組の副搬送波中に含まれていない副搬送波を含む［３０］の方法。
［３２］前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい［３０］の方法。
［３３］ワイヤレス通信のための装置において、
第１の組の副搬送波にマッピングされた基準シンボルと、第２の組の副搬送波にマッピングされたデータシンボルとを含む送信シンボルを、シンボル期間中に受信する手段と、
前記受信された送信シンボルを処理して、前記第１の組の副搬送波からの受信された基準シンボルと、前記第２の組の副搬送波からの受信されたデータシンボルとを取得する手段と、
前記受信された基準シンボルを処理して、チャネル推定を取得する手段と、
前記チャネル推定に基づいて、前記受信されたデータシンボルを処理して、復調されたデータシンボルを取得する手段とを具備し、
前記基準シンボルは、ベースシーケンスのサイクリックシフトに対応する基準信号シーケンスに基づいて発生されている装置。
［３４］前記復調されたデータシンボル上で逆離散フーリエ変換（ＩＤＦＴ）を実行して、受信された変調シンボルを取得する手段と、
前記受信された変調シンボルを処理して、前記第２の組の副搬送波上で送信されたデータを復元する手段とをさらに具備する［３３］の装置。
［３５］第３の組の副搬送波にマッピングされた第２の基準シンボルと、第４の組の副搬送波にマッピングされた第２のデータシンボルとを含む第２の送信シンボルを、第２のシンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記第２のチャネル推定に基づいて、前記受信された第２のデータシンボルを処理して、復調された第２のデータシンボルを取得する手段とをさらに具備する［３３］の装置。
［３６］第３の組の副搬送波にマッピングされた第２の基準シンボルと、第４の組の副搬送波にマッピングされた第２のデータシンボルとを含む第２の送信シンボルを、前記シンボル期間中に受信する手段と、
前記受信された第２の送信シンボルを処理して、前記第３の組の副搬送波からの受信された第２の基準シンボルと、前記第４の組の副搬送波からの受信された第２のデータシンボルとを取得する手段と、
前記受信された第２の基準シンボルを処理して、第２のチャネル推定を取得する手段と、
前記チャネル推定と前記第２のチャネル推定とに基づいて、前記受信されたデータシンボルと、前記受信された第２のデータシンボルとを処理して、前記復調されたデータシンボルと、復調された第２のデータシンボルとを取得する手段とをさらに具備し、
前記送信シンボルは、第１のアンテナを通して送信され、前記第２の送信シンボルは、ユーザ機器（ＵＥ）における第２のアンテナを通して送信される［３３］の装置。
［３７］前記ＵＥにおける前記第１のおよび前記第２のアンテナに対する基準信号は、周波数分割多重化され、前記第３の組の副搬送波は、前記第１の組の副搬送波中に含まれていない副搬送波を含む［３６］の装置。
［３８］前記ＵＥにおける前記第１および前記第２のアンテナに対する基準信号は、コード分割多重化され、前記第２の基準シンボルは、前記ベースシーケンスの第２のサイクリックシフトに対応する第２の基準信号シーケンスに基づいて発生され、前記第３の組の副搬送波は、前記第１の組の副搬送波に等しい［３６］の装置。
［３９］ワイヤレス通信のための装置において、
第１の組の副搬送波にマッピングされた基準シンボルと、第２の組の副搬送波にマッピングされたデータシンボルとを含む送信シンボルを、シンボル期間中に受信するようにと、
前記受信された送信シンボルを処理して、前記第１の組の副搬送波からの受信された基準シンボルと、前記第２の組の副搬送波からの受信されたデータシンボルとを取得するようにと、
前記受信された基準シンボルを処理して、チャネル推定を取得するようにと、
前記チャネル推定に基づいて、前記受信されたデータシンボルを処理して、復調されたデータシンボルを取得するように構成されている少なくとも１つのプロセッサを具備し、
前記基準シンボルは、ベースシーケンスのサイクリックシフトに対応する基準信号シーケンスに基づいて発生されている装置。
［４０］一時的でないコンピュータ読取可能媒体を具備するコンピュータプログラムプロダクトにおいて、
少なくとも１つのプロセッサに、第１の組の副搬送波にマッピングされた基準シンボルと、第２の組の副搬送波にマッピングされたデータシンボルとを含む送信シンボルを、シンボル期間中に受信させるためのコードと、
前記少なくとも１つのプロセッサに、前記受信された送信シンボルを処理させて、前記第１の組の副搬送波からの受信された基準シンボルと、前記第２の組の副搬送波からの受信されたデータシンボルとを取得するためのコードと、
前記少なくとも１つのプロセッサに、前記受信された基準シンボルを処理させて、チャネル推定を取得するためのコードと、
前記少なくとも１つのプロセッサに、前記チャネル推定に基づいて、前記受信されたデータシンボルを処理させて、復調されたデータシンボルを取得するためのコードとを含み、
前記基準シンボルは、ベースシーケンスのサイクリックシフトに対応する基準信号シーケンスに基づいて発生されているコンピュータプログラムプロダクト。
【国際調査報告】
2013509830.tif 000017
2013509830.tif 000018
2013509830.tif 000019